(57)【要約】チャネル情報をレポートする技術が記述される。一態様では、複数のチャネル情報レポートモードは、調整されたマルチポイント（ＣｏＭＰ）データ送信のためチャネル情報をレポートするためにユーザ装置（ＵＥ）へ利用できる。該ＵＥは、使用するための第１のチャネル情報レポートモードを決定し、該ＵＥのＣｏＭＰ測定セットにおける少なくとも１つのセルに関する第１のチャネル情報を決定し、該ＣｏＭＰ測定セットにおける１つまたは複数のセルへ、該第１のチャネル情報レポートモードに従って該第１のチャネル情報を送信し得る。ＵＥはまた、使用するための第２のチャネル情報レポートモードを決定し、該ＣｏＭＰ測定セットにおけるマルチプルセルに関する第２のチャネル情報を決定し、該第２のチャネル情報レポートモードに従って該第２のチャネル情報を送信し得る。複数のチャネルフィードバック構成がサポートされ、１段階、２段階、および／または１回限りのチャネルフィードバック構成を含み得る。【選択図】  図３
2013518533.tif 000002
【特許請求の範囲】
【請求項１】
無線通信のための方法であって、
ユーザ装置（ＵＥ）で、前記ＵＥの調整されたマルチポイント（ＣｏＭＰ）測定セットにおける複数のセルのうちの少なくとも１つのセルに関する第１のチャネル情報を決定することと、
前記ＵＥによる使用のための第１のチャネル情報レポートモードを決定することと、前記第１のチャネル情報レポートモードはＣｏＭＰデータ送信のためにチャネル情報をレポートすることに利用可能な複数のチャネル情報レポートモードのうちの１つである、
前記ＣｏＭＰ測定セットにおける１つまたは複数のセルへ、前記第１のチャネル情報レポートモードに従って前記第１のチャネル情報を送信することと、
を含む方法。
【請求項２】
前記第１のチャネル情報を決定することは、ランク情報、チャネル方向情報（ＣＤＩ）、チャネル大きさ情報（ＣＭＩ）、相対的な振幅と位相情報、チャネル品質情報（ＣＱＩ）、リソース品質情報（ＲＱＩ）、またはそれらの組合せを決定すること、を含む請求項１の方法。
【請求項３】
前記複数のチャネル情報レポートモードは、
マルチプルセルの、単一のサブバンドのチャネル情報をレポートするチャネル情報レポートモード、
シングルセルの、複数のサブバンドのチャネル情報をレポートするチャネル情報レポートモード、
マルチプルセルの、マルチプルサブバンドのチャネル情報をレポートするチャネル情報レポートモード、
１つまたは複数のセルの、１つまたは複数のサブバンドの、単一のレイヤーのチャネル情報をレポートするチャネル情報レポートモード、またはそれらの組合せ、
を含む請求項１の方法。
【請求項４】
前記第１のチャネル情報レポートモードを決定することは、前記ＵＥで前記第１のチャネル情報レポートモードを選択することを含む、請求項１の方法。
【請求項５】
前記第１のチャネル情報レポートモードを決定することは、
ネットワークエンティティからＵＥについてのチャネルフィードバック構成を受信することと、
前記ＵＥについての前記チャネルフィードバック構成に基づいて、前記第１のチャネル情報レポートモードを決定することと、
を含む請求項１の方法。
【請求項６】
前記第１のチャネル情報を決定することは、
送信に利用可能な複数のサブバンドのサブセットを前記ＵＥで選択することと、
前記選択された前記複数のサブバンドのサブセットについての前記第１のチャネル情報を決定することと、
を含む請求項１の方法。
【請求項７】
前記第１のチャネル情報を決定することは、
前記ＣｏＭＰ測定セットにおける複数のセルのサブセットを前記ＵＥで選択することと、
前記選択された前記複数のセルのサブセットについての前記第１のチャネル情報を決定することと、
を含む請求項１の方法。
【請求項８】
前記第１のチャネル情報を決定することは、前記ＣｏＭＰ測定セットにおける前記セルのサブセット、通信に利用可能な全てのサブバンドのサブセット、通信に利用可能な全てのレイヤーのサブセット、またはそれらの組合せ、についての前記第１のチャネル情報を決定することを含む、請求項１の方法。
【請求項９】
前記ＣｏＭＰ測定セットにおけるマルチプルセルに関する第２のチャネル情報を決定することと、
前記ＵＥによって使用するための第２のチャネル情報レポートモードを決定することと、前記第２のチャネル情報レポートモードは前記複数のチャネル情報レポートモードのうちの別の１つである、
前記ＣｏＭＰ測定セットにおける前記１つまたは複数のセルへ前記第２のチャネル情報レポートモードに従って前記第２のチャネル情報を送信することと、
をさらに含む請求項１の方法。
【請求項１０】
ネットワークエンティティから受信されるメッセージに応答し、またはチャネル状態に基づいて、前記第１のチャネル情報レポートモードから前記第２のチャネル情報レポートモードへ切替えること、をさらに含む請求項９の方法。
【請求項１１】
前記第１のチャネル情報レポートモードはシングルセルについてのチャネル情報のレポートをサポートし、前記第２のチャネル情報レポートモードはマルチプルセルについてのチャネル情報のレポートをサポートする、請求項９の方法。
【請求項１２】
前記シングルセルは前記ＵＥのためにサービスするセル、または前記ＵＥによって受信される最も強いセル、または前記ＣｏＭＰ測定セットにおける前記複数のセルを通って循環することによって選択されるセル、を含む請求項１１の方法。
【請求項１３】
少なくとも１つのレポート間隔で前記ＣｏＭＰ測定セットにおける前記複数のセルへチャネル情報を送信すること、をさらに含む請求項１の方法。
【請求項１４】
前記ＵＥがＣｏＭＰデータ送信のために選択される前に前記ＣｏＭＰ測定セットにおける前記複数のセルのサブセットへチャネル情報を送信することと、
前記ＵＥがＣｏＭＰデータ送信のために選択される後、前記ＣｏＭＰ測定セットにおける前記複数のセルの全てへチャネル情報を送信することと、
をさらに含む請求項１の方法。
【請求項１５】
前記第１のチャネル情報を送信することは、上りリンク共有チャネル（ＰＵＳＣＨ）または上りリンク制御チャネル（ＰＵＣＣＨ）または両方で前記第１のチャネル情報を送信することを含む、請求項１の方法。
【請求項１６】
複数のレポート間隔のそれぞれで前記ＣｏＭＰ測定セットにおける前記複数のセルの全てまたはサブセットへチャネル情報を周期的に送信すること、をさらに含む請求項１の方法。
【請求項１７】
作動すると、前記ＣｏＭＰ測定セットにおける前記複数のセルの全てまたはサブセットへチャネル情報を送信すること、をさらに含む請求項１の方法。
【請求項１８】
前記少なくとも１つのセルについての少なくとも１つのチャネル行列を決定することと、
前記少なくとも１つのチャネル行列に基づいて前記少なくとも１つのセルについてのチャネル方向情報（ＣＤＩ）を決定することと、
前記少なくとも１つのセルについてのＣＤＩを含む前記第１のチャネル情報を生成することと、
をさらに含む請求項１の方法。
【請求項１９】
前記少なくとも１つのセルについてのＣＤＩを前記決定することは、
受信行列を取得するために指定されたセルについてのチャネル行列を分解することと、前記指定されたセルは、前記ＣｏＭＰ測定セットにおける前記複数のセルのうちの１つである、
前記少なくとも１つのチャネル行列および前記受信行列に基づいて、少なくとも１つの同等のチャネル行列を決定することと、
前記少なくとも１つの同等のチャネル行列に基づいて前記少なくとも１つのセルについての前記ＣＤＩを決定することと、
を含む請求項１８の方法。
【請求項２０】
前記少なくとも１つのセルについての前記ＣＤＩを決定することは、
前記ＵＥで残留干渉の共分散行列を決定することと、
前記少なくとも１つのチャネル行列および前記共分散行列に基づいて、少なくとも１つのホワイトチャネル行列を決定することと、
前記少なくとも１つのホワイトチャネル行列に基づいて前記少なくとも１つのセルについての前記ＣＤＩを決定することと、
を含む請求項１８の方法。
【請求項２１】
前記少なくとも１つのチャネル行列に基づいて前記少なくとも１つのセルについてのチャネル大きさ情報（ＣＭＩ）を決定することと、
前記少なくとも１つのセルについての前記ＣＭＩをさらに含む前記第１のチャネル情報を生成することと、
をさらに含む請求項１８の方法。
【請求項２２】
無線通信のための装置であって、
ユーザ装置（ＵＥ）で、前記ＵＥの調整されたマルチポイント（ＣｏＭＰ）測定セットにおける複数のセルのうちの少なくとも１つのセルに関する第１のチャネル情報を決定する手段と、
前記ＵＥによる使用のための第１のチャネル情報レポートモードを決定する手段と、前記第１のチャネル情報レポートモードはＣｏＭＰデータ送信のためにチャネル情報をレポートすることに利用可能な複数のチャネル情報レポートモードのうちの１つである、
前記ＣｏＭＰ測定セットにおける１つまたは複数のセルへ、前記第１のチャネル情報レポートモードに従って前記第１のチャネル情報を送信する手段と、
を備える装置。
【請求項２３】
前記ＣｏＭＰ測定セットにおけるマルチプルセルに関する第２のチャネル情報を決定する手段と、
前記ＵＥによって使用するための第２のチャネル情報レポートモードを決定する手段と、前記第２のチャネル情報レポートモードは、前記複数のチャネル情報レポートモードのうちの別の１つである、
前記ＣｏＭＰ測定セットにおける前記１つまたは複数のセルへ前記第２のチャネル情報レポートモードに従って前記第２のチャネル情報を送信する手段と、
をさらに備える請求項２２の装置。
【請求項２４】
少なくとも１つのレポート間隔で前記ＣｏＭＰ測定セットにおける前記複数のセルへチャネル情報を送信する手段、
をさらに備える請求項２２の装置。
【請求項２５】
前記ＵＥがＣｏＭＰデータ送信のために選択される前に前記ＣｏＭＰ測定セットにおける前記複数のセルのサブセットへチャネル情報を送信する手段と、
前記ＵＥがＣｏＭＰデータ送信のために選択される後、前記ＣｏＭＰ測定セットにおける前記複数のセルの全てへチャネル情報を送信する手段と、
をさらに備える請求項２２の装置。
【請求項２６】
前記少なくとも１つのセルについての少なくとも１つのチャネル行列を決定する手段と、
前記少なくとも１つのチャネル行列に基づいて前記少なくとも１つのセルについてのチャネル方向情報（ＣＤＩ）を決定する手段と、
前記少なくとも１つのセルについてのＣＤＩを含む前記第１のチャネル情報を生成する手段と、
をさらに備える請求項２２の装置。
【請求項２７】
前記少なくとも１つのチャネル行列に基づいて前記少なくとも１つのセルについてのチャネル大きさ情報（ＣＭＩ）を決定する手段と、
前記少なくとも１つのセルについての前記ＣＭＩをさらに含む前記第１のチャネル情報を生成する手段と、
をさらに備える請求項２６の装置。
【請求項２８】
少なくとも１つのプロセッサを備える無線通信のための装置であって、前記少なくとも１つのプロセッサは、
ユーザ装置（ＵＥ）で、前記ＵＥの調整されたマルチポイント（ＣｏＭＰ）測定セットにおける複数のセルのうちの少なくとも１つのセルに関する第１のチャネル情報を決定し、
前記ＵＥによる使用のための第１のチャネル情報レポートモードを決定し、前記第１のチャネル情報レポートモードは、ＣｏＭＰデータ送信のためにチャネル情報をレポートすることに利用可能な複数のチャネル情報レポートモードのうちの１つである、
前記ＣｏＭＰ測定セットにおける１つまたは複数のセルへ、前記第１のチャネル情報レポートモードに従って前記第１のチャネル情報を送信するように構成される、
装置。
【請求項２９】
前記少なくとも１つのプロセッサは、
前記ＣｏＭＰ測定セットにおけるマルチプルセルに関する第２のチャネル情報を決定し、
前記ＵＥによって使用するための第２のチャネル情報レポートモードを決定し、前記第２のチャネル情報レポートモードは、前記複数のチャネル情報レポートモードのうちの別の１つである、
前記ＣｏＭＰ測定セットにおける前記１つまたは複数のセルへ前記第２のチャネル情報レポートモードに従って前記第２のチャネル情報を送信するように構成される、
請求項２８の装置。
【請求項３０】
前記少なくとも１つのプロセッサは、少なくとも１つのレポート間隔で前記ＣｏＭＰ測定セットにおける前記複数のセルへチャネル情報を送信するように構成される、請求項２８の装置。
【請求項３１】
前記少なくとも１つのプロセッサは、
前記ＵＥがＣｏＭＰデータ送信のために選択される前に前記ＣｏＭＰ測定セットにおける前記複数のセルのサブセットへチャネル情報を送信し、
前記ＵＥがＣｏＭＰデータ送信のために選択される後、前記ＣｏＭＰ測定セットにおける前記複数のセルの全てへチャネル情報を送信するように構成される、
請求項２８の装置。
【請求項３２】
前記少なくとも１つのプロセッサは、
前記少なくとも１つのセルについての少なくとも１つのチャネル行列を決定し、
前記少なくとも１つのチャネル行列に基づいて前記少なくとも１つのセルについてのチャネル方向情報（ＣＤＩ）を決定し、
前記少なくとも１つのセルについてのＣＤＩを含む前記第１のチャネル情報を生成するように構成される、
請求項２８の装置。
【請求項３３】
前記少なくとも１つのプロセッサは、前記少なくとも１つのチャネル行列に基づいて前記少なくとも１つのセルについてのチャネル大きさ情報（ＣＭＩ）を決定し、前記少なくとも１つのセルについての前記ＣＭＩをさらに含む前記第１のチャネル情報を生成するように構成される、請求項３２の装置。
【請求項３４】
非一時的なコンピュータ可読媒体を含むコンピュータプログラム製品であって、前記コンピュータ可読媒体は、
少なくとも１つのコンピュータに、ユーザ装置（ＵＥ）で、前記ＵＥの調整されたマルチポイント（ＣｏＭＰ）測定セットにおける複数のセルのうちの少なくとも１つのセルに関する第１のチャネル情報を決定させるコードと、
前記少なくとも１つのコンピュータに、前記ＵＥによる使用のための第１のチャネル情報レポートモードを決定させるコードと、前記第１のチャネル情報レポートモードは、ＣｏＭＰデータ送信のためにチャネル情報をレポートすることに利用可能な複数のチャネル情報レポートモードのうちの１つである、
前記少なくとも１つのコンピュータに、前記ＣｏＭＰ測定セットにおける１つまたは複数のセルへ、前記第１のチャネル情報レポートモードに従って前記第１のチャネル情報を送信させるコードと、
を含むコンピュータプログラム製品。
【請求項３５】
無線通信のための方法であって、
ユーザ装置（ＵＥ）の調整されたマルチポイント（ＣｏＭＰ）測定セットにおける複数のセルについてのチャネル情報をレポートするために、前記ＵＥについての第１のチャネル情報レポートモードを決定することと、前記第１のチャネル情報レポートモードはＣｏＭＰデータ送信のためにチャネル情報をレポートすることに利用可能な複数のチャネル情報レポートモードのうちの１つである、
前記第１のチャネル情報レポートモードに従って前記ＵＥから第１のチャネル情報を受信することと、前記第１のチャネル情報は前記ＣｏＭＰ測定セットにおける前記複数のセルのうちの少なくとも１つのセルに関する、
を含む方法。
【請求項３６】
前記少なくとも１つのセルについての、ランク情報、チャネル方向情報（ＣＤＩ）、チャネル大きさ情報（ＣＭＩ）、相対的な振幅と位相情報、チャネル品質情報（ＣＱＩ）、リソース品質情報（ＲＱＩ）、またはそれらの組合せを、前記第１のチャネル情報から取得すること、
をさらに含む請求項３５の方法。
【請求項３７】
前記複数のチャネル情報レポートモードは、
マルチプルセルの、単一のサブバンドのチャネル情報をレポートするチャネル情報レポートモード、
シングルセルの、複数のサブバンドのチャネル情報をレポートするチャネル情報レポートモード、
マルチプルセルの、マルチプルサブバンドのチャネル情報をレポートするチャネル情報レポートモード、
１つまたは複数のセルの、１つまたは複数のサブバンドの、単一のレイヤーのチャネル情報をレポートするチャネル情報レポートモード、
またはそれらの組合せ、
を含む請求項３５の方法。
【請求項３８】
前記第１のチャネル情報は、
前記ＣｏＭＰ測定セットにおける前記セルのサブセット、
通信に利用可能な全てのサブバンドのサブセット、通信に利用可能な全てのレイヤーのサブセット、
またはそれらの組合せ、
に関する請求項３５の方法。
【請求項３９】
複数のレポート間隔で前記ＵＥによって送信される複数のレポートを受信することと、
前記複数のレポートのそれぞれから、前記ＣｏＭＰ測定セットにおける前記複数のセルのサブセットについてのチャネル情報を取得することと、
前記ＣｏＭＰ測定セットにおける前記複数のセルについての全チャネル情報を決定するために、前記複数のレポートのそれぞれから取得される前記チャネル情報を集約することと、
をさらに含む請求項３５の方法。
【請求項４０】
チャネル情報をレポートするために前記ＵＥについての第２のチャネル情報レポートモードを決定することと、前記第２のチャネル情報レポートモードは前記複数のチャネル情報レポートモードのうちの別の１つである、
前記第２のチャネル情報レポートモードに従って前記ＵＥから第２のチャネル情報を受信することと、前記第２のチャネル情報は前記ＣｏＭＰ測定セットにおけるマルチプルセルに関する、
をさらに含む請求項３５の方法。
【請求項４１】
前記第１のチャネル情報レポートモードはシングルセルについてのチャネル情報のレポートをサポートし、前記第２のチャネル情報レポートモードはマルチプルセルについてのチャネル情報のレポートをサポートする、請求項４０の方法。
【請求項４２】
少なくとも１つのレポート間隔で前記ＣｏＭＰ測定セットにおける前記複数のセルについてのチャネル情報を受信すること、
をさらに含む請求項３５の方法。
【請求項４３】
前記ＣｏＭＰ測定セットにおける前記複数のセルのサブセットについてのチャネル情報を受信することと、
ＣｏＭＰデータ送信のために前記ＵＥを選択することと、
ＣｏＭＰデータ送信のために前記ＵＥを選択後、前記ＣｏＭＰ測定セットにおける前記複数のセルの全てについてのチャネル情報を受信することと、
をさらに含む請求項３５の方法。
【請求項４４】
第１のＵＥのＣｏＭＰ測定セットにおけるセルのサブセットについてのチャネル情報を前記第１のＵＥから受信することと、前記第１のＵＥはＣｏＭＰデータ送信のために選択可能な対象である、
第２のＵＥのＣｏＭＰ測定セットにおける全てのセルについてのチャネル情報を前記第２のＵＥから受信することと、前記第２のＵＥはＣｏＭＰデータ送信のために選択される、
をさらに含む請求項３５の方法。
【請求項４５】
前記第１のチャネル情報を受信することは、上りリンク共有チャネル（ＰＵＳＣＨ）または上りリンク制御チャネル（ＰＵＣＣＨ）または両方で前記第１のチャネル情報を受信することを含む、請求項３５の方法。
【請求項４６】
前記ＵＥによって複数のレポート間隔のそれぞれで周期的に送信される、または作動すると前記ＵＥによって送信される、チャネル情報を受信すること、
をさらに含む請求項３５の方法。
【請求項４７】
前記第１のチャネル情報に基づいて少なくとも１つのチャネル・ベクトルを取得することと、
前記少なくとも１つのチャネル・ベクトルに基づいて前記ＵＥについての少なくとも１つのプレコーディングベクトルを決定することと、
前記少なくとも１つのプレコーディングベクトルに基づいて前記ＵＥへデータを送信することと、
をさらに含む請求項３５の方法。
【請求項４８】
無線通信のための装置であって、
ユーザ装置（ＵＥ）の調整されたマルチポイント（ＣｏＭＰ）測定セットにおける複数のセルについてのチャネル情報をレポートするために、前記ＵＥについての第１のチャネル情報レポートモードを決定する手段と、前記第１のチャネル情報レポートモードはＣｏＭＰデータ送信のためにチャネル情報をレポートすることに利用可能な複数のチャネル情報レポートモードのうちの１つである、
前記第１のチャネル情報レポートモードに従って前記ＵＥから第１のチャネル情報を受信する手段と、前記第１のチャネル情報は前記ＣｏＭＰ測定セットにおける前記複数のセルのうちの少なくとも１つのセルに関する、
を備える装置。
【請求項４９】
複数のレポート間隔で前記ＵＥによって送信される複数のレポートを受信する手段と、
前記複数のレポートのそれぞれから、前記ＣｏＭＰ測定セットにおける前記複数のセルのサブセットについてのチャネル情報を取得する手段と、
前記ＣｏＭＰ測定セットにおける前記複数のセルについての全チャネル情報を決定するために、前記複数のレポートのそれぞれから取得される前記チャネル情報を集約する手段と、
をさらに備える請求項４８の装置。
【請求項５０】
チャネル情報をレポートするために前記ＵＥについての第２のチャネル情報レポートモードを決定する手段と、前記第２のチャネル情報レポートモードは前記複数のチャネル情報レポートモードのうちの別の１つである、
前記第２のチャネル情報レポートモードに従って前記ＵＥから第２のチャネル情報を受信する手段と、前記第２のチャネル情報は前記ＣｏＭＰ測定セットにおけるマルチプルセルに関する、
をさらに備える請求項４８の装置。
【請求項５１】
少なくとも１つのレポート間隔で前記ＣｏＭＰ測定セットにおける前記複数のセルについてのチャネル情報を受信する手段、
をさらに備える請求項４８の装置。
【請求項５２】
前記ＣｏＭＰ測定セットにおける前記複数のセルのサブセットについてのチャネル情報を受信する手段と、
ＣｏＭＰデータ送信のために前記ＵＥを選択する手段と、
ＣｏＭＰデータ送信のために前記ＵＥを選択後、前記ＣｏＭＰ測定セットにおける前記複数のセルの全てについてのチャネル情報を受信する手段と、
をさらに備える請求項４８の装置。
【請求項５３】
第１のＵＥのＣｏＭＰ測定セットにおけるセルのサブセットについてのチャネル情報を前記第１のＵＥから受信する手段と、前記第１のＵＥはＣｏＭＰデータ送信のために選択可能な対象である、
第２のＵＥのＣｏＭＰ測定セットにおける全てのセルについてのチャネル情報を前記第２のＵＥから受信する手段と、前記第２のＵＥはＣｏＭＰデータ送信のために選択される、
をさらに備える請求項４８の装置。
【請求項５４】
前記第１のチャネル情報に基づいて少なくとも１つのチャネル・ベクトルを取得する手段と、
前記少なくとも１つのチャネル・ベクトルに基づいて前記ＵＥについての少なくとも１つのプレコーディングベクトルを決定する手段と、
前記少なくとも１つのプレコーディングベクトルに基づいて前記ＵＥへデータを送信する手段と、
をさらに備える請求項４８の装置。
【請求項５５】
少なくとも１つのプロセッサを備える無線通信のための装置であって、前記少なくとも１つのプロセッサは、
ユーザ装置（ＵＥ）の調整されたマルチポイント（ＣｏＭＰ）測定セットにおける複数のセルについてのチャネル情報をレポートするために、前記ＵＥについての第１のチャネル情報レポートモードを決定し、前記第１のチャネル情報レポートモードはＣｏＭＰデータ送信のためにチャネル情報をレポートすることに利用可能な複数のチャネル情報レポートモードのうちの１つである、
前記第１のチャネル情報レポートモードに従って前記ＵＥから第１のチャネル情報を受信するように構成され、前記第１のチャネル情報は、前記ＣｏＭＰ測定セットにおける前記複数のセルのうちの少なくとも１つのセルに関する、
装置。
【請求項５６】
前記少なくとも１つのプロセッサは、
複数のレポートのそれぞれから、前記ＣｏＭＰ測定セットにおける前記複数のセルのサブセットについてのチャネル情報を取得するために、複数のレポート間隔で前記ＵＥによって送信される前記複数のレポートを受信し、
前記ＣｏＭＰ測定セットにおける前記複数のセルについての全チャネル情報を決定するために前記複数のレポートのそれぞれから取得される前記チャネル情報を集約するように構成される、
請求項５５の装置。
【請求項５７】
前記少なくとも１つのプロセッサは、
チャネル情報をレポートするために前記ＵＥについての第２のチャネル情報レポートモードを決定し、前記第２のチャネル情報レポートモードは前記複数のチャネル情報レポートモードのうちの別の１つである、
前記第２のチャネル情報レポートモードに従って前記ＵＥから第２のチャネル情報を受信するように構成され、前記第２のチャネル情報は前記ＣｏＭＰ測定セットにおけるマルチプルセルに関する、
請求項５５の装置。
【請求項５８】
前記少なくとも１つのプロセッサは、少なくとも１つのレポート間隔で前記ＣｏＭＰ測定セットにおける前記複数のセルについてのチャネル情報を受信するように構成される、請求項５５の装置。
【請求項５９】
前記少なくとも１つのプロセッサは、
ＣｏＭＰデータ送信のために前記ＵＥを選択するために、前記ＣｏＭＰ測定セットにおける前記複数のセルのサブセットについてのチャネル情報を受信し、
ＣｏＭＰデータ送信のために前記ＵＥを選択後、前記ＣｏＭＰ測定セットにおける前記複数のセルの全てについてのチャネル情報を受信するように構成される、
請求項５５の装置。
【請求項６０】
前記少なくとも１つのプロセッサは、
第１のＵＥのＣｏＭＰ測定セットにおけるセルのサブセットについてのチャネル情報を前記第１のＵＥから受信し、前記第１のＵＥはＣｏＭＰデータ送信のために選択可能な対象である、
第２のＵＥのＣｏＭＰ測定セットにおける全てのセルについてのチャネル情報を前記第２のＵＥから受信するように構成され、前記第２のＵＥはＣｏＭＰデータ送信のために選択される、
請求項５５の装置。
【請求項６１】
前記少なくとも１つのプロセッサは、
少なくとも１つのチャネル・ベクトルに基づいて前記ＵＥについての少なくとも１つのプレコーディングベクトルを決定するために前記第１のチャネル情報に基づいて前記少なくとも１つのチャネル・ベクトルを取得し、
前記少なくとも１つのプレコーディングベクトルに基づいて前記ＵＥへデータを送信するように構成される、
請求項５５の装置。
【請求項６２】
非一時的なコンピュータ可読媒体を含むコンピュータプログラム製品であって、前記コンピュータ可読媒体は、
少なくとも１つのコンピュータに、ユーザ装置（ＵＥ）の調整されたマルチポイント（ＣｏＭＰ）測定セットにおける複数のセルについてのチャネル情報をレポートするために、前記ＵＥについての第１のチャネル情報レポートモードを決定させるコードと、前記第１のチャネル情報レポートモードはＣｏＭＰデータ送信のためにチャネル情報をレポートすることに利用可能な複数のチャネル情報レポートモードのうちの１つである、
前記少なくとも１つのコンピュータに、前記第１のチャネル情報レポートモードに従って前記ＵＥから第１のチャネル情報を受信させるコードと、
を備え、前記第１のチャネル情報は、前記ＣｏＭＰ測定セットにおける前記複数のセルのうちの少なくとも１つのセルに関する、
コンピュータプログラム製品。
【発明の詳細な説明】
【優先権の主張】
【０００１】
本出願は、２０１０年１月２９日に出願され、これについて譲受人に譲渡され、参照によりここに組込まれる「USER EQUIPMENT FEEDBACK TO SUPPORT COORDINATED MULTIPOINT OPERATION」というタイトルの米国仮出願第６１／２９９，８７６号への優先権を主張する。
【技術分野】
【０００２】
本開示は、一般に通信に関し、より具体的には、無線通信ネットワークにおけるデータ送信をサポートする技術に関する。
【背景技術】
【０００３】
無線通信ネットワークは、ボイス（voice）、ビデオ、パケットデータ、メッセージング（messaging）、ブロードキャスト等のような様々な通信コンテンツを提供するように広く展開される。これらの無線ネットワークは、利用可能なネットワークリソースを共有することにより複数のユーザをサポートすることができる多元接続ネットワークであり得る。そのような多元接続ネットワークの例は、符号分割多元接続（ＣＤＭＡ）ネットワーク、時間分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
無線通信ネットワークは、多くのユーザ装置（ＵＥ）（ｓ）のために通信をサポートすることができる多くのセルを含み得る。用語「セル」は、用語が使用されるコンテキスト（context）に応じて、基地局および／またはカバレッジエリア（coverage area）にサービスする基地局サブシステムのうちのカバレッジエリアを指し得る。ＵＥはマルチプルセルのカバレッジ内にあり得る。１つまたは複数のマルチプルセルはＵＥにサービスするために選択され得る。良いパフォーマンスを提供することができる方法で、選択されたセル（ｓ）がＵＥへデータを送信することができるように、ＵＥがチャネル情報をレポートすることは望ましい。
【発明の概要】
【０００５】
調整されたマルチポイント（ＣｏＭＰ）データ送信をサポートする、チャネル情報をレポートする技術は、ここに記述される。ＵＥは、ＵＥへデータを送信するために調整することができる複数のセルを含むＣｏＭＰ測定セットを備え得る。ＵＥは、ＵＥへのＣｏＭＰデータ送信をサポートするためにＣｏＭＰ測定セットにおけるセルに対してチャネル情報をレポートし得る。
【０００６】
一態様では、複数のチャネル情報レポートモードは、ＣｏＭＰデータ送信のためにチャネル情報をレポートすることに利用可能であり得る。複数のチャネル情報レポートモードは、(i)マルチプルセルの、シングルサブバンドのチャネル情報をレポートするためのチャネル情報レポートモード、(ii)シングルセルの、マルチプルサブバンドのチャネル情報をレポートするためのチャネル情報レポートモード、(iii)マルチプルセルの、マルチプルサブバンドのチャネル情報をレポートするためのチャネル情報レポートモード、および／または(iv)他のチャネル情報レポートモード、を含み得る。
【０００７】
一態様では、ＵＥは、複数のチャネル情報レポートモードのうちから、ＵＥによる使用のための第１のチャネル情報レポートモードを決定し得る。ＵＥは、そのＣｏＭＰ測定セットにおける少なくとも１つのセルに関する第１のチャネル情報を決定し得る。ここに記述されるように、第１のチャネル情報は様々なタイプの情報を含み得る。ＵＥは、ＣｏＭＰ測定セットにおける１つまたは複数のセルへ第１のチャネル情報レポートモードに従って第１のチャネル情報を送信し得る。ＵＥはまた、複数のチャネル情報レポートモードのうちの他の１つである、ＵＥによって使用するための第２のチャネル情報レポートモードを決定し得る。ＵＥは、ＣｏＭＰ測定セットにおけるマルチプルセルに関する第２のチャネル情報を決定し、１つまたは複数のセルへ第２のチャネル情報レポートモードに従って第２のチャネル情報を送信し得る。
【０００８】
別の態様では、複数のチャネルフィードバック構成（channel feedback configurations）がサポートされ、また、１段階（single-stage）、２段階（two-stage）、および／または１回限りのチャネルフィードバック構成を含み得る。１段階のチャネルフィードバック構成では、ＵＥは、各レポート間隔でＣｏＭＰ測定セットにおけるセルのサブセットへチャネル情報を送信し、異なるレポート間隔でＣｏＭＰ測定セットにおけるセルを通って循環し得る。２段階のチャネルフィードバック構成では、ＵＥは、(i)ＣｏＭＰデータ送信のために選択される前にそのＣｏＭＰ測定セットにおけるセルのサブセットへ、および(ii)ＣｏＭＰデータ送信のために選択された後にそのＣｏＭＰ測定セットにおける全てのセルへ、チャネル情報を送信し得る。１回限りのチャネルフィードバック構成では、ＵＥは１つのレポートでそのＣｏＭＰ測定セットにおける全てのセルへチャネル情報を送信し得る。
【０００９】
セルは、ＵＥによってレポートされるチャネル情報を受信し、ＵＥへのＣｏＭＰデータ送信に関わり得る。開示の様々な態様および特徴は、さらに詳細に後述される。
【図面の簡単な説明】
【００１０】
【図１】無線通信ネットワークを示す。
【図２】ＵＥヘのＣｏＭＰデータ送信の例を示す。
【図３】ＵＥによってチャネル情報をレポートするプロセスを示す。
【図４】セルによってチャネル情報を受信するプロセスを示す。
【図５】基地局とＵＥとの２つの設計のブロック図を示す。
【図６】基地局とＵＥとの２つの設計のブロック図を示す。
【発明を実施するための形態】
【００１１】
ここに記述される技術は、ＣＤＭＡ、ＴＤＭＡ、ＦＤＭＡ、ＯＦＤＭＡ、ＳＣ−ＦＤＭＡおよび他のネットワークのような様々な無線通信ネットワークに使用され得る。用語「ネットワーク」および「システム」は、置き換えてよく使用される。ＣＤＭＡネットワークは、ＵＴＲＡ（Universal Terrestrial Radio Access）、cdma2000等のような無線技術を実現し得る。ＵＴＲＡは広帯域ＣＤＭＡ（ＷＣＤＭＡ）およびＣＤＭＡの他の変形を含む。cdma2000はIS-2000、IS-95およびIS-856規格をカバーする。ＴＤＭＡネットワークは、ＧＳＭ（登録商標）（Global System for Mobile Communications）のような無線技術を実現し得る。OFDMAネットワークは、E-UTRA（Evolved UTRA）、UMB(Ultra Mobile Broadband)、IEEE 802.11(Wi-Fi)、IEEE 802.16(WiMAX)、IEEE 802.20、フラッシュOFDM（登録商標）などのような無線技術を実現し得る。UTRAおよびE-UTRAは、UMTS（Universal Mobile Telecommunication System）の一部である。３ＧＰＰのＬＴＥ（Long Term Evolution）およびＬＴＥ−Ａ（LTE-Advanced）は新しくリリースのE-UTRAを使用するUMTSであり、それはダウンリンクでＯＦＤＭＡ、アップリンクでＳＣ−ＦＤＭＡを用いる。UTRA、E-UTRA、UMTS、LTE、LTE-AおよびGSMは3GPP（3rd Generation Partnership Project）という組織からの文書に説明される。cdma2000とUMBは、3GPP2（3rd Generation Partnership Project 2）という組織からの文書に説明されている。ここに記述された技術は、他の無線ネットワークおよび無線技術と同様に、上述された無線ネットワークおよび無線技術に使用され得る。明確にするために、技術の特定の態様は、ＬＴＥについて後述され、ＬＴＥ用語は、後述の多くで使用される。
【００１２】
図１は、ＬＴＥネットワークまたは他の無線ネットワークである無線通信ネットワーク１００を示す。無線ネットワーク１００は多くの基地局および他のネットワークエンティティを含み得る。簡単にするために、３つのみの基地局１１０ａ、１１０ｂ、１１０ｃおよび１つのネットワークコントローラ１３０は図１に示される。基地局は、ＵＥ（ｓ）１２０と通信するエンティティであり、ノードＢ（Node B）、eNB（evolved Node B）、アクセスポイント等とも呼ばれ得る。各基地局１１０は特定の地理的なエリア１０２に通信カバレッジを提供し得る。ネットワーク容量を向上するために、基地局の全体のカバレッジエリアは、複数のより小さなエリア、例えばより小さな３つのエリア１０４ａ、１０４ｂおよび１０４ｃへ分割され得る。各小さなエリアは、それぞれ基地局サブシステムによってサービスされ得る。３ＧＰＰでは、用語「セル」は、このカバレッジエリアにサービスする基地局サブシステムおよび／または基地局のうちの最も小さなカバレッジエリアを指し得る。３ＧＰＰ２では、用語「セクター」または「セル・セクター」は、このカバレッジエリアにサービスする基地局サブシステムおよび／または基地局のうちの最も小さなサービスエリアを指し得る。明確にするために、セルの３ＧＰＰコンセプトは、下記説明において使われる。一般に、基地局は１つまたは複数の（例えば、３つの）セルをサポートし得る。
【００１３】
ネットワークコントローラ１３０は１セットの基地局へ連結し、これらの基地局に調整と制御を提供し得る。ネットワークコントローラ１３０はＭＭＥ（Mobility Management Entity）および／または他のネットワークエンティティを含み得る。
【００１４】
ＵＥ（ｓ）１２０は無線ネットワーク全体にわたって分散し、各ＵＥは固定またはモバイルであり得る。簡単にするために、図１は各セルで１つだけのＵＥ１２０を示す。一般に、ＵＥ（ｓ）がいくつでも各セルの中に存在し得る。ＵＥはまた、移動局、端末、アクセス端末、加入者ユニット、局等と呼ばれ得る。ＵＥは、携帯電話、ＰＤＡ（personal digital assistant）、無線モデム、無線通信デバイス、ハンドヘルドデバイス（handheld device）、ラップトップコンピュータ、コードレス電話、無線ローカルループ（ＷＬＬ：wireless local loop）局、スマートフォン、ネットブック（netbook）、スマートブック（smartbook）、タブレット等であり得る。ＵＥはダウンリンクとアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【００１５】
ＬＴＥは、ダウンリンクで直交周波数分割多重（ＯＦＤＭ）、アップリンクでシングルキャリア周波数分割多重（ＳＣ−ＦＤＭ）を用いる。ＯＦＤＭおよびＳＣ−ＦＤＭは、一般にトーン、ビン等とも呼ばれる複数の（ＮＦＦＴ個の）直交サブキャリアへ周波数レンジを分割する。各サブキャリアはデータで変調され得る。一般に、変調シンボルは、ＯＦＤＭで周波数ドメイン内およびＳＣ−ＦＤＭで時間ドメイン内に送信される。隣接したサブキャリア間の間隔は固定され、サブキャリアの合計数（ＮＦＦＴ個）はシステム帯域幅に依存し得る。例えば、ＮＦＦＴは、１．２５、２．５、５、１０または２０メガヘルツ（ＭＨｚ）のシステム帯域幅について、それぞれ１２８、２５６、５１２、１０２４または２０４８に等しい。
【００１６】
サブバンド数は定義され、各サブバンドは多くのサブキャリアを含み得る。１つの設計では、各サブバンドは９６個の連続するサブキャリアを含み、１．４４ＭＨｚをカバーし得る。サブバンド数は、システム帯域幅に依存し、１．２５から２０ＭＨｚまでのシステム帯域幅について１から１３個まで変動し得る。他の設計では、各サブバンドはより多いまたはより少ないサブキャリアを含み得る。一般に、サブバンドは同じサイズまたは異なるサイズを備え得る。サブバンド数および各サブバンドのサイズは、固定されまたは設定可能であり、システム帯域幅に依存し得る。サブバンドはまた、帯域幅部分、周波数等と呼ばれ得る。
【００１７】
無線ネットワーク１００は、ダウンリンクネットワーク 多入力多出力（ＭＩＭＯ）とも呼ばれ得る調整されたマルチポイント（ＣｏＭＰ）データ送信をサポートし得る。ＣｏＭＰデータ送信について、マルチプルセルは、同じ時間周波数リソースで１つまたは複数のＵＥへデータを送信するために調整し、その結果、マルチプルセルからの信号はターゲットＵＥで結合され、および／またはセル間干渉は干渉されるＵＥで低減され得る。ＣｏＭＰデータ送信は以下を含み得る、  
１．  共同処理 − ターゲットＵＥでのビームフォーミング利得、および/または１つまたは複数の干渉されたＵＥでの干渉軽減を達成するために、異なるセルでプレコーディングベクトルが選択される、マルチプルセルから１つまたは複数のＵＥへのマルチポイントデータ送信。  
２．  調整されるビームフォーミング − ターゲットＵＥへのビームフォーミング利得と１つまたは複数の隣接するセルによってサービスされる１つまたは複数の干渉されたＵＥへの干渉軽減との間でやりとりすることによって、セルのために１つまたは複数のプレコーディングベクトルが選択される、シングルセルからターゲットＵＥへのシングルポイントデータ送信。
【００１８】
マルチプルセルは共同処理のために任意のＵＥへデータを送信する一方、シングルセルは調整されるビームフォーミングのためにＵＥへデータを送信する。共同処理および調整されるビームフォーミングの両方について、ＵＥへデータを送信するために１つまたは複数のセルによって使用されるプレコーディングベクトル（ｓ）は、セル内干渉を低減するために他のＵＥ（ｓ）のチャネルと同様にＵＥのチャネルを考慮することにより選択され得る。
【００１９】
図２は、マルチプルセルからシングルＵＥへのＣｏＭＰデータ送信の例を示す。ＵＥは、ＵＥによって測定されることができ、ＵＥへのＣｏＭＰデータ送信に関わることができる全てのセルを含むＣｏＭＰ測定セットを備え得る。これらのセルは、同じ基地局または異なる基地局に属し、チャネル利得／パス損失（pathloss）、受信信号強度、受信信号品質等に基づいて選択され得る。受信信号品質は、信号対雑音及び干渉比（ＳＩＮＲ：signal-to-noise-and-interference ratio）、キャリア対干渉比（Ｃ／Ｉ：carrier-to-interference ratio）等によって測定され得る。例えば、ＣｏＭＰ測定セットは、閾値を超えたチャネル利得またはＳＩＮＲ、を備えたセルを含み得る。ＵＥは、ＣｏＭＰ測定セットにおけるセルについてのチャネル情報を決定しレポートし得る。ＵＥは、マルチポイント送信（共同処理）またはシングルポイント送信（調整されるビームフォーミング）のいずれかについての、ＣｏＭＰ測定セットにおける１つまたは複数のセルによってサービスされ得る。ＵＥにサービスする１つまたは複数のセルは、ＣｏＭＰ測定セットにおけるセルのうちのいくつかまたは全てを含み、ＵＥの認識なしに動的に選択され得る。
【００２０】
図２に示されるように、ＵＥは各セルについての異なるチャネルまたはリンクを備え得る。各セルｍからＵＥへのチャネルのレスポンスはcm(k)Hm(k)として与えられ得、ここで、Hm(k)はサブバンドｋでのセルｍについてのR×Tmチャネル行列であり、cm(k)はサブバンドｋでのセルｍについての長期のチャネル利得であり、Tmはセルｍでの送信アンテナ数であり、ＲはＵＥでの受信アンテナ数であり、m∈{1,…,M}はセルインデックス（cell index）であり、ＭはＵＥのＣｏＭＰ測定セットにおけるセル数であり、ｋはサブバンドインデックス（subband index）である。Ｍはまた、ＣｏＭＰ測定セットサイズ（ＣＭＳＳ：CoMP measurement set size）と呼ばれ得る。Hm(k)は、セルｍでのTm個の送信アンテナとサブバンドｋでのＵＥでのＲ個の受信アンテナとの間の短期のフェージングを表わすチャネル利得を含み、ここで、一般にTm≧1 および R≧1である。cm(k)は、サブバンドｋでのＵＥとセルｍとの間の長期のチャネル利得を表わす。（ｉ）ＣｏＭＰ測定セットにおける異なるセルの長期のチャネル利得と、（ｉｉ）同じセルについての異なるサブバンドの長期のチャネル利得との間に無視できない違いがあり得る。各サブバンドの、ＣｏＭＰ測定セットにおける全てのＭ個のセルのチャネル行列は、式（１）のように表わされる。  
【数１】
2013518533.tif 000003
【００２１】
ここで、H(k)は、サブバンドkについてのR×Ttotal全体のチャネル行列であり、  
【数２】
2013518533.tif 000004
【００２２】
各セルは、ＵＥによってチャネル推定に使用され得る、セル固有のリファレンス信号（ＣＲＳ：cell-specific reference signal）を送信し得る。リファレンス信号は、送信機と受信機による既知のアプリオリ（apriori）であり、パイロットとも呼ばれ得る信号である。ＣＲＳは、セルについての固有のリファレンス信号であり、例えば、セル同一性（ＩＤ：cell identity）に基づいて生成される。ＵＥは、各セルからのＣＲＳに基づいて関係する各サブバンドでのそのセルについてのチャネルレスポンス（例えば、チャネル行列）を推定し得る。
【００２３】
ＵＥは、ＣｏＭＰデータ送信をサポートするチャネル情報を送信し得る。１つの設計では、チャネル情報は、各セルからＵＥへの１つまたは複数のチャネル固有モードについての１つまたは複数の固有ベクトルを含む、階層固有のフィードバック（hierarchical eigen-feedback）情報を含み得る。ＵＥは、関係する各サブバンドｋでの各セルｍについてのチャネル行列Hm(k)を測定し、測定されたチャネル行列を取得し得る。簡単にするために、ここでの説明は、チャネル推定誤りはないと仮定し、測定されたチャネル行列は実際のチャネル行列と等しい。
【００２４】
階層固有のフィードバックの第１の設計では、ＵＥは、ＵＥにサービスしているセル、またはＵＥによって受信される最も強いセル、または他のセルである、指定のセルについての測定されたチャネル行列の単一の値分解を実行し得る。単一の値分解は式（２）のように表わされる。  
【数３】
2013518533.tif 000005
【００２５】
ここで、U1(k)はH1(k)の左特異ベクトルのユニタリ行列であり、  
V1(k)はH1(k)の右特異ベクトルのユニタリ行列であり、  
Σ1(k)はH1(k)の単一の値の対角行列である。
【００２６】
ＵＥは、以下のように関係する各サブバンドでの各セルｍについての同等のチャネル行列を決定し得る。  
【数４】
2013518533.tif 000006
【００２７】
ここで、Gm(k)はサブバンドｋでのセルｍについての同等のチャネル行列である。
【００２８】
ＵＥは、コードブックCPに基づいて各同等のチャネル行列におけるＮ個の最良のベクトルを量子化する。１つの設計では、ＵＥは、チャネル・ベクトルの異なる可能性ある数（すなわち、異なる可能性あるＮ個の値）の性能を評価し、最良の性能を備えたＮ個の値を選択し得る。別の設計では、ＵＥは、長期のチャネル状態、ＵＥについてのデータ量等のような様々な基準に基づいてＮ個の特定の値で構成されて得る。どんな場合も、Ｎは最大の「ランク」と呼ばれ、ＵＥへのデータ送信に利用可能な固有モードまたはレイヤーの最大値を示し得る。
【００２９】
ＵＥは、以下のように関係する各サブバンドでの各セルについての同等のチャネル行列Gm(k)を量子化し得る。同等のチャネル行列Gm(k)は、Ｎ個の最良の同等のチャネル行列g1,m(k)からgN,m(k)に対応するＮ行を含む。１セルごとのコードブックCPは、各同等のチャネル・ベクトルを量子化するために使用され、多くの（Ｓ個の）チャネル・ベクトルを含み得る。コードブックCPにおける各チャネル・ベクトルは、固有のＢビット・インデックスを割り当てられ、ここで、B=[log2(S)]である。ＵＥは、以下のようにコードブックCPに基づいて各同等のチャネル・ベクトルを量子化し得る。  
【数５】
2013518533.tif 000007
【００３０】
ここで、ｄは、コードブックCPにおけるチャネル・ベクトルであり、  
gn,m(k)は、Gm(k)のn番目の行に対応する同等のチャネル・ベクトルであり、  
【数６】
2013518533.tif 000008
【００３１】
dn,m(k)は、gn,m(k)について量子化されたチャネル・ベクトルであり、  
”Ｈ”は、エルミート（Hermetian）または共役転置を示す。
【００３２】
式（４）に示されるように、同等のチャネル・ベクトルgn,m(k)はコードブックCPにおける各チャネル・ベクトルに対して評価され得る。最良のメトリックを備えたコードブックCPにおけるチャネル・ベクトルは、同等のチャネル・ベクトルgn,m(k)についての量子化されたチャネル・ベクトルdn,m(k)に選択され得る。
【００３３】
同等のチャネル・ベクトルgn,m(k)のようなチャネル・ベクトルは、（ｉ）空間ビームの方向を示すチャネル方向と、（ｉｉ）空間ビームの強さを示す大きさとを含み得る。コードブックCPにおけるチャネル・ベクトルは、コードブックにおける各チャネル・ベクトルについての ||d||=1 のように、単位ノルム（unit norm）（または１の大きさ）を備えるために定義され得る。この場合、量子化されたチャネル・ベクトルは大きさではなくチャネル方向を含むだろう。さらに、正規化相関が量子化されたチャネル・ベクトルを決定するために使用されれば、量子化されたチャネル・ベクトルは位相情報を含まないだろう。
【００３４】
１つの設計では、ＵＥは、各同等のチャネル・ベクトルについてのチャネル利得を以下のように決定し得る。  
【数７】
2013518533.tif 000009
【００３５】
ここで、αn,m(k)は、gn,m(k)の量子化された大きさに対応するチャネル利得である。
【００３６】
別の設計では、ＵＥは、ＵＥでの残留干渉（residual interference）の共分散行列（covariance matrix）R(k)のトレースに基づいて各同等のチャネル・ベクトルのチャネル・ノルム ||gn,m(k)|| を標準化し得る。ＵＥは、ＵＥのＣｏＭＰ測定セットにおけるセルを除いて全てのセルの長期の受信電力の合計に基づいて残留干渉を推定し得る。
【００３７】
１つの設計では、ＵＥは、ＣｏＭＰ測定セットにおけるＭ個のセルについての相対的な振幅および位相情報を決定し得る。セル間コードブックCθは、Ｍ個のセルについて相対的な振幅および位相を量子化するために使用され、多くの相対的な振幅および位相ベクトルを含み得る。コードブックCθにおける各相対的な振幅および位相ベクトルは、固有のインデックスを割り当てられ得る。ＵＥは、各レイヤーの、Ｍ個のセルのＭ個の同等のチャネル・ベクトルの相対的な振幅および位相を以下のように決定し得る。  
【数８】
2013518533.tif 000010
【００３８】
ここで、gn(k)=[gn,1(k), ..., gn,M(k)]は、レイヤーｎについての拡張的な同等のチャネル・ベクトルであり、  
dn(k)=[αn,1dn,1(k), ..., αn,Mdn,M(k)]は、レイヤーｎについての拡張的な量子化されたチャネル・ベクトルであり、  
z=[z1, ..., zM]は、Ｍ個のセルについてのＭ個の相対的な複合利得（complex gains）を備えたベクトルであり、  
【数９】
2013518533.tif 000011
【００３９】
およびzn(k)は、レイヤーｎについての相対的な振幅および位相ベクトルである。
【００４０】
式（６）に示されるように、拡張ベクトルgn(k)におけるレイヤーｎについての同等のチャネル・ベクトルは、コードブックCθにおける各可能性ある相対的な振幅および位相ベクトルｚについての拡張ベクトルにおいて対応する量子化されたチャネル・ベクトルに対して評価され得る。各ベクトルｚは、Ｍ個のセル間の相対的な振幅および位相を示す、Ｍ個のセルについてのＭ個の複合利得を含む。最良のメトリックを備えたコードブックCθにおける相対的な振幅および位相ベクトルは、レイヤーｎの、Ｍ個のセルの量子化された相対的な振幅および位相ベクトルに選択され得る。そのプロセスは、Ｎ個のレイヤーのそれぞれについて繰り返され、Ｎ個のレイヤーについて、Ｎ個の量子化された相対的な振幅と位相ベクトルz1(k)からzN(k)を得る。
【００４１】
ＵＥは、全ての関係するレイヤー、セルおよびサブバンドについてのチャネル方向情報（ＣＤＩ）およびチャネル大きさ情報（ＣＭＩ）を含むチャネル情報をレポートし得る。ＣＤＩは、全ての関係するレイヤー、セルおよびサブバンドについてのチャネル・ベクトルのチャネル方向を示し、全ての関係するレイヤー、セルおよびサブバンドについての量子化されたチャネル・ベクトルのインデックス（ｓ）を含み得る。ＣＭＩは、全ての関係するレイヤー、セルおよびサブバンドについてのチャネル・ベクトルの大きさを示し、全ての関係するレイヤー、セルおよびサブバンドについてのチャネル利得αn,m(k)のインデックス（ｓ）を含み得る。チャネル情報はさらに相対的な振幅および位相情報を含み、それらは、全ての重要なレイヤーについての量子化された相対的な振幅および位相ベクトルzn(k)のインデックスを含み得る。チャネル情報はまた、他の情報を含み得る。
【００４２】
第１の階層固有のフィードバックは、特定の利点を提供し得る。第１に、ユニタリ行列U1(k)は、指定のセル（例えば、サービスするセル）についてのチャネル行列H1(k)に基づいて決定されるため、ＣｏＭＰ測定セットが変化しても、変化し得ない。第２に、指定のセルはＵＥによって受信される最も強いセルのうちの１つである可能性があるため、ユニタリ行列U1(k)はＵＥについての好ましい受信ビーム（receive beam）の好ましい近似であり得る。
【００４３】
階層固有のフィードバックの第２の設計では、ＵＥは以下のようにチャネル行列を標準化し得る。  
【数１０】
2013518533.tif 000012
【００４４】
ここで、Wm(k)はサブバンドｋでのセルｍについてのホワイトチャネル行列（whitened channel matrix）である。
【００４５】
ＵＥは第１の階層固有のフィードバック設計について上述されるように、（測定されたチャネル行列の代わりに）ホワイトチャネル行列を処理し得る。第２の設計はＣＭＩを標準化し得る。
【００４６】
階層固有のフィードバックの第３の設計では、ＵＥは、例えば、式（２）に示されるように、固有ベクトルの行列Um(k)と対角行列Σm(k)を得るために、各セルについての測定されたチャネル行列Hm(k)の単一解分解を実行し得る。ＵＥは、その後、例えば、式（４）に示されるように、コードブックCpに基づいてUm(k)における関係する各固有ベクトルを量子化し得る。ＵＥはまた、例えば、式（５）に示されるように、Σm(k)における関係する各単一解を量子化し得る。ＵＥはまた、例えば、式（６）に示されるように、Ｍ個のセルについての測定された固有ベクトル、およびＭ個のセルについての量子化された固有ベクトルに基づいてＣｏＭＰ測定セットにおけるＭ個のセルについての相対的な振幅および位相ベクトルを決定し得る。
【００４７】
階層固有のフィードバックの第４の設計では、チャネル情報はチャネル・ベクトル情報を含み得る。この設計は、単位行列と等しいユニタリ行列U1(k)を備えた第１の設計に相当し得る。ＵＥは、例えば、式（４）に示されるように、コードブックCPに基づいて関係する各測定されたチャネル・ベクトルを量子化し得る。ＵＥはまた、例えば、式（５）に示されるように、関係する各チャネル・ノルムを量子化し得る。ＵＥはまた、例えば、式（６）に示されるように、Ｍ個のセルについての測定されたチャネル・ベクトルおよびＭ個のセルについての量子化されたチャネル・ベクトルに基づいてＣｏＭＰ測定セットにおけるＭ個のセルについての相対的な振幅および位相ベクトルを決定し得る。
【００４８】
ＵＥはまた、他の方法でＣｏＭＰ測定セットにおけるセルについてのチャネル情報を決定し得る。一般に、ＵＥは、様々な方法で各ＭＩＭＯストリームについての受信ビームを決定し得る。例えば、受信ビームは、第１の階層固有のフィードバック設計について上述されるように、指定のセル（例えば、サービスするセル）にマッチする受信固有モードに基づく。受信ビームは、セルとＵＥとの間に同等の多入力１出力（ＭＩＳＯ：multiple-input single-output）チャネルをもたらし得る。マルチプルセルおよび／または送信アンテナからＵＥへの得られるＭＩＳＯチャネルは、量子化されたチャネル・ベクトルおよび量子化されたチャネル・ノルムを含むセルごとの要素へ分解され得る。共同処理について、セルごとの要素は、相対的な振幅と位相ベクトルを含むセル間要素で増加され得る。
【００４９】
ＵＥは大量のチャネル情報を送信し得る。例えば、ＵＥは、１つの量子化されたチャネル・ベクトルについて（例えば、４本の送信アンテナについて）のＣＤＩについて８から１２ビット、１つの量子化されたチャネル・ベクトルについてのＣＭＩについて３から４ビットを送信し得る。ＵＥは、それ故にＣｏＭＰ測定セットにおける各セルについての各サブバンドでの各レイヤーについてのＣＤＩおよびＣＭＩについて合計１１から１６ビットを送信し得る。大きなフィードバック・ペイロードは次の２つのシナリオによって示され得る。第１のシナリオでは、ＵＥは、フェムトセルによってサービスされ、１０ＭＨｚのシステム帯域幅を備えた無線ネットワークにおける２つの隣接するフェムトセルによって干渉され得る。ＵＥのＣｏＭＰ測定セットは、サービスするセルおよび２つの隣接するセルを含み得る。ＵＥはランク２送信（rank 2 transmission）をサポートし、２．５ＭＨｚの各サブバンドについてのＣＤＩおよびＣＭＩをレポートし得る。チャネル情報レポートは、３つのセルのそれぞれの、４つのサブバンドのそれぞれでの２つのレイヤーのそれぞれの１０ビットのＣＤＩおよび３ビットのＣＭＩを含み得る。１つのチャネル情報レポートについての合計のペイロードは、その後、約(10+3)*(4+4+4)*2ほぼ等しい325ビットを含み得る。
【００５０】
第２のシナリオでは、ＵＥは、フェムトセルによってサービスされ、１０ＭＨｚの無線ネットワークにおける１つのマクロセルおよび１つのフェムトセルによって干渉され得る。ＵＥは、ランク２送信をサポートし、各フェムトセルについての２．５ＭＨｚの各サブバンドについて、および例えばマクロセルについてのより多くの周波数選択性により、マクロセルについての１ＭＨｚの各サブバンドについて、ＣＤＩおよびＣＭＩをレポートし得る。１つのチャネル情報レポートについての合計のペイロードは、その後、約(10+3)*(4+4+10)*2ほぼ等しい500ビットを含み得る。大きなチャネル情報レポートを送信することは困難である。
【００５１】
一態様では、多くのチャネルフィードバック構成はサポートされ得る。各チャネルフィードバック構成は、ＵＥが、各チャネル情報レポートにおいてＣｏＭＰ測定セットにおけるセルについての全てのチャネル情報のサブセットをレポートすることを可能にし得る。これは、各レポートにおいて送信するチャネル情報の量を低減し得る。
【００５２】
１つの設計では、２つのチャネルフィードバック構成は以下のようにサポートされ得る。  
・１段階のチャネルフィードバック構成 - UEは、セルがレポートされると各セルへ全てのチャネル情報を送信する。  
・２段階のチャネルフィードバック構成 - UEは、２段階におけるセルへチャネル情報を送信する。
【００５３】
１段階のチャネルフィードバック構成について、ＵＥはチャネル情報レポートにおけるＣｏＭＰ測定セットにおける１つまたは複数のセルへ、全てのサブバンドの全てのレイヤーについてのチャネル情報を送信し得る。レポートのサイズは、その後、レポートするためのセルの数、各セルに対してレポートするためのレイヤーおよびサブバンドの数、１つのセルについての１つのサブバンドでの１つのレイヤーについてのＣＭＩおよびＣＤＩのサイズに依存し得る。１つの設計では、ＵＥはＣｏＭＰ測定セットにおけるセルを通って循環し得る。別の設計では、ＵＥは、他のセルより頻繁にＣｏＭＰ測定セットにおける特定のセルに対してチャネル情報をレポートし得る。例えば、ＵＥは、より弱いセルより頻繁に、サービスしているセルおよびより強いセルに対してチャネル情報をレポートし得る。
【００５４】
２段階のチャネルフィードバック構成について、ＵＥは、以下のように２段階でチャネル情報を送信し得る。  
１．  段階１ - データ送信のためにＵＥの一時的な選択を可能にするために粗いチャネル情報を送信し、および  
２．  段階２ - ＵＥへのＣｏＭＰデータ送信に使用するプレコーディングベクトルの計算を可能にするために正確なチャネル情報を送信する。
【００５５】
１つの設計では、ＣｏＭＰデータ送信のスケジュールになり得る全てのＵＥは、段階１において粗いチャネル情報を報告し得る。全てのＵＥからの粗いチャネル情報は、ＣｏＭＰデータ送信のために１つまたは複数のＵＥを一時的に選択するために、すなわち、サービスしているセルで一時的なスケジュールする決定を下すために、使用され得る。１つの設計では、ＣｏＭＰデータ送信のために一時的に選択されたＵＥだけが、段階２にておいて正確なチャネル情報をレポートし得る。ＣｏＭＰデータ送信のために一時的に選択されたＵＥは、ＣｏＭＰデータ送信のために実際にスケジュールされ得るかまたはされ得ない。スケジュールされたＵＥ（ｓ）からの正確なチャネル情報は、これらのＵＥ（ｓ）についてのプレコーディングベクトルを計算するために使用され得る。
【００５６】
一般に、粗いチャネル情報は、ＣｏＭＰデータ送信のためにＵＥ（ｓ）の一時的な選択に役立ち得る任意の情報を含み得る。１つの設計では、粗いチャネル情報は、サービスしているセルのみについての情報を含み得る。別の設計では、粗いチャネル情報は、各レポートにおける１つのセル（または少しのセル）についての情報を含み、ＵＥはＣｏＭＰ測定セットにおけるセルを通って循環し得る。粗いチャネル情報は、レポートされる各セルについての１つのサブバンドでの１つのレイヤーについての情報を含み得る。あるいは、粗いチャネル情報は、１つのサブバンドでのマルチプルレイヤー、またはマルチプルサブバンドでの１つのレイヤー、またはレポートされる各セルについてのマルチプルサブバンドでのマルチプルレイヤーについての情報を含み得る。さらに別の設計では、ＵＥは、（例えば１１ビットのレポートにおいて）１つのセルへ１つのサブバンドでの１つのレイヤーについてのＣＤＩおよびＣＭＩを含む粗いチャネル情報を周期的に送信し得る。ＵＥは、粗いチャネル情報をレポートするために、サービスしているセルのみまたは各セルについての異なるレイヤーおよび／または異なるサブバンドを通って循環し得る。
【００５７】
一般に、正確なチャネル情報は、ＵＥへのＣｏＭＰデータ送信のためにプレコーディングベクトルの計算に役立ち得る任意の情報を含み得る。１つの設計では、正確なチャネル情報は、全ての関係するセルの、全てのサブバンドでの全てのレイヤーのＣＤＩおよびＣＭＩを含み得る。ＵＥは、同じレートまたは異なるレートでＣｏＭＰ測定セットにおける異なるセルに対して正確なチャネル情報をレポートし得る。例えば、ＵＥは、サービスしているセルおよびより強いセルに対して正確なチャネル情報をより頻繁に、より弱いセルに対してあまり頻繁でなくレポートし得る。ＵＥは、異なるセルの、同じまたは異なるサブバンド数および同じまたは異なるレイヤー（またはランク）数の正確なチャネル情報をレポートし得る。例えば、干渉するセルは、サービスしているセルより異なるランクを備える。別の例として、より弱いセルは、サービスしているセルより低い周波数粒度（frequency granularity）でレポートされ得る。
【００５８】
１つの設計では、１段階のチャネルフィードバック構成、または２段階のチャネルフィードバック構成のうちの段階２についてのチャネル情報レポートは、表１に示される１つまたは複数のフィールドを含み得る。  
表１  チャネル情報レポート  
【表１】
2013518533.tif 000013
【００５９】
１つの設計では、レポートするレイヤー数およびサブバンド数は、ＣｏＭＰ測定セットにおける各セルについて定義され得る。各セルについてのレイヤーインデックスのサイズおよびサブバンドインデックスのサイズは、その後、そのセルについて定義されたレイヤー数およびサブバンド数に依存し得る。別の設計では、レポートするレイヤー数およびサブバンド数は、ＣｏＭＰ測定セットにおける全てのセルについて同じであり得る。
【００６０】
セルの、サブバンドでのレイヤーのＣＤＩは、適切なサイズのコードブックから選択され得る。１つの設計では、ＣＤＩは、４個の送信アンテナを備えフィードバック圧縮がないコードブロックフラグ（ＣＢＦ：code block flag）についての８−１２ビットを含み得る。セルの、サブバンドでのレイヤーのＣＭＩは、適切なビット数、例えば２−４ビットへ量子化され得る。１つの設計では、ＣＭＩは、例えば、式（５）に示されるように、チャネル・ノルムに基づいて決定される絶対値を含み得る。別の設計では、ＣＭＩは、基準ＣＭＩに関して決定されるデルタ値（すなわち、別個に符号化された値）を含み得る。基準ＣＭＩは、広帯域のＣＭＩ、サービスしているセルの、第１の／最良のレイヤーのＣＭＩであり得る。ＲＱＩは、ＵＥで測定されるような特定のリソースについての受信信号品質を示し得る。ＲＱＩはチャネル情報レポートに含まれ得るか、または含まれ得ない。
【００６１】
チャネル情報レポートはまた、表１に示される情報の代わりに、またはその情報に加えて他の情報を含み得る。例えば、チャネル情報レポートは、ＣｏＭＰ測定セットにおけるセルについての１つまたは複数の相対的な振幅および位相ベクトルを含み得る。
【００６２】
１つの設計では、１回限りのチャネルフィードバック構成はサポートされ得る。この構成について、ＵＥは、単一のレポートにおける全ての関係するセルの、全てのサブバンドでの全てのレイヤーのチャネル情報をレポートし得る。
【００６３】
１つの設計では、例えば、ＵＥがＣｏＭＰデータ送信のために構成される場合、ＵＥは特定のチャネルフィードバック構成で（例えば、半静的に）構成され得る。ＵＥは、その後、このチャネルフィードバック構成に従ってチャネル情報をレポートし得る。ＵＥについてのチャネルフィードバック構成は、ＣｏＭＰ測定セットにおける変化、チャネル状態における変化、ＵＥのレポート能力における変化等のような様々な理由により変化し得る。
【００６４】
別の態様では、多くのチャネル情報レポートモードはサポートされ得る。各チャネル情報レポートモードは、ＵＥが、レイヤーの全てまたはサブセット、サブバンドの全てまたはサブセット、およびＣｏＭＰ測定セットにおけるセルの全てまたはサブセットについてのチャネル情報をレポートすることを可能にし得る。ＵＥは、その後、各レポートにおける大量のチャネル情報を送信することができる。チャネル情報レポートモードは、レポートモード、チャネルフィードバックモード等とも呼ばれ得る。
【００６５】
１つの設計では、１つまたは複数の以下のチャネル情報レポートモードがサポートされ得る。  
・チャネル情報レポートモード１ - レポートは、マルチプルセルの、１つのサブバンドでの１つまたは複数のレイヤーのチャネル情報を含み得る。  
・チャネル情報レポートモード２ - レポートは、１つのセルの、マルチプルサブバンドでの１つまたは複数のレイヤーのチャネル情報を含み得る。  
・チャネル情報レポートモード３ - レポートは、マルチプルセルの、マルチプルサブバンドでの１つまたは複数のレイヤーのチャネル情報を含み得る。
【００６６】
チャネル情報レポートモード１について、チャネル情報レポートは、レポートされるサブバンドのサブバンドインデックスを含み得る。そのレポートは、ＣｏＭＰ測定セットにおける全てまたはいくつかのセルについてのチャネル情報を含み得る。ＣｏＭＰ測定セットにおいて多数のセルがある場合、セルのうちのいくつかのみがレポートのために選択され、それはセルダウン選択（cell down-selection）と呼ばれ得る。レポートのために選択されない各セルについて、サブバンドでのそのセルについてのＣＤＩおよび／またはＣＭＩは、１つまたは複数の他のレポートにおけるセルに対してレポートされる他のサブバンドについてのＣＤＩおよび／またはＣＭＩから決定され得る（例えば、補間される）。
【００６７】
チャネル情報レポートモード２について、チャネル情報レポートは、レポートされるセルのセルインデックスを含み得る。そのレポートは、全てまたはいくつかのサブバンドについてのチャネル情報を含み得る。多数のサブバンドがある場合、いくつかのサブバンドのみがレポートのために選択され、それはサブバンドダウン選択（subband down-selection）と呼ばれ得る。レポートのために選択されない各サブバンドについて、そのサブバンドでのセルについてのＣＤＩおよび／またはＣＭＩは、セルのためにレポートされる他のサブバンドについてのＣＤＩおよび／またはＣＭＩから決定され得る（例えば、補間される）。
【００６８】
チャネル情報レポートモード３について、チャネル情報レポートは、各サブバンドについてのサブバンドインデックスおよびレポートされる各セルについてのセルインデックスを含み得る。そのレポートは、ＣｏＭＰ測定セットにおける全てまたはいくつかのサブバンドおよび全てまたはいくつかのセルについてのチャネル情報を含み得る。サブバンド数をかけたセル数が大きい場合、ＣｏＭＰ測定セットにおけるいくつかのセルのみ、および／またはいくつかのサブバンドのみは、レポートのために選択され得る。チャネル情報レポートモード３はまた、１回限りのチャネルフィードバック構成についての全てのサブバンドおよび全てのセルへチャネル情報を送信するために使用され得る。
【００６９】
異なるおよび／または追加のチャネル情報レポートモードはまた、サポートされ得る。例えば、チャネル情報レポートモードは、１つまたは複数のセルの、１つまたは複数のサブバンドでの１つのレイヤーのチャネル情報をレポートすることをサポートし得る。別の例として、チャネル情報レポートモードは１つまたは複数のセルの、１つのサブバンドでの１つのレイヤーのチャネル情報をレポートすることをサポートし得る。
【００７０】
１つの設計では、ＵＥは、ＣｏＭＰ測定セットにおける全てのセルについての周波数および時間で同じ粒度を備えたチャネル情報をレポートし得る。別の設計では、ＵＥは、ＣｏＭＰ測定セットにおける異なるセルに対して周波数および／または時間で異なる粒度を備えたチャネル情報をレポートし得る。例えば、ＵＥは、より弱いセルに対して周波数および／または時間でチャネル情報をより粗くレポートし得る。
【００７１】
一般に、どんなチャネル情報レポートモードも、サポートされ、いかなるサポートされるチャネルフィードバック構成にも使用され得る。１つの設計では、上述されたチャネル情報レポートモードは、１段階と２段階のチャネルフィードバック構成に使用され得る。例えば、チャネル情報レポートモード２は、２段階のチャネルフィードバック構成のうちの段階１について粗いチャネルフィードバックを送信するために使用され得る。チャネル情報レポートモード１、２および３のうちの任意の１つまたは組合せは、１段階のチャネルフィードバック構成、および２段階のチャネルフィードバック構成のうちの段階２にも使用され得る。
【００７２】
１つまたは複数のチャネル情報レポートモードは、様々な方法で使用するために選択され得る。１つの設計では、ＵＥは、使用する１つまたは複数のチャネル情報レポートモードで（例えば、半静的に）構成され得る。別の設計では、ＵＥは、１つまたは複数のチャネル情報レポートモードを使用するように（例えば、サービスしているセルによって動的に）要求され得る。さらに別の設計では、ＵＥは、使用する特定のチャネル情報レポートモードを自律的に選択し得る。全ての設計のために、チャネル情報レポートモードは、ＣｏＭＰ測定セットにおけるセル数、サブバンド数、異なるセルおよびサブバンドについてＵＥによって観測されたチャネル状態、ＵＥのレポート能力（例えば、チャネルレポートに利用可能なビットレート）、チャネル情報についてのレポート間隔等のような様々なファクターに基づいて選択され得る。例えば、チャネル情報レポートモード１は、１つのサブバンド（または、少ししかないサブバンド）についてのチャネル状態が他のサブバンドより良い場合、選択され得る。別の例として、チャネル情報レポートモード２は、１つのセル（または、少ししかないセル）についてのチャネル状態がＣｏＭＰ測定セットにおける他のセルより良い場合、選択され得る。さらに他の例として、チャネル情報レポートモード１は、サブバンド数がＣｏＭＰ測定セットにおけるセル数より少ない場合選択され、チャネル情報レポートモード２は、その逆が真のとき選択される。このことは、ＵＥがより少ないレポートで全てのサブバンドおよび全てのセルへチャネル情報を送信することを可能にする。
【００７３】
ＵＥは様々な方法でＣｏＭＰ測定セットにおけるセルへチャネル情報を送信し得る。１つの設計では、例えば、ＵＥのために構成されるように、ＵＥは周期的にチャネル情報を送信し得る。別の設計では、事象によって作動すると、ＵＥはチャネル情報を送信し得る。例えば、サービスしているセルによって要求されるとき、またはＵＥがチャネル情報を送信するためにリソースを割り当てられるとき等、ＵＥはチャネル情報を送信する。さらに別の設計では、ＵＥはいくつかの（例えば、粗い）チャネル情報を周期的に送信し、他の（例えば、正確な）チャネル情報を非周期的に（例えば、ＵＥがＣｏＭＰデータ送信のために一時的に選択される場合）送信し得る。
【００７４】
ＵＥは様々なチャネルを使用して、チャネル情報を送信し得る。１つの設計では、ＵＥは、チャネル情報を送信するために制御チャネルでリソースを割り当てられ得る。例えば、ＵＥは、例えば周期的に１０ms毎、２０ms毎等、ＬＴＥにおいて上りリンク制御チャネル（ＰＵＣＣＨ：Physical Uplink Control Channel）でリソースを割り当てられる。ＵＥは、その後、ＰＵＣＣＨでチャネル情報を周期的に送信し得る。別の設計では、ＵＥは、チャネル情報を送信するためにデータチャネルでリソースを割り当てられ得る。例えば、ＵＥは、ＬＴＥにおいて上りリンク共有チャネル（ＰＵＳＣＨ：Physical Uplink Shared Channel）でリソースを割り当てられ得る。ＵＥは、その後、割り当てられたリソースを使用して、ＰＵＳＣＨでチャネル情報を送信し得る。１つの設計では、ＵＥは、ＰＵＣＣＨでチャネル情報を周期的に送信し、および／またはＰＵＳＣＨでチャネル情報を非周期的に送信し得る。
【００７５】
図３は、チャネル情報をレポートするプロセス３００の図を示す。プロセス３００は（以下に述べられるように）ＵＥまたは他のエンティティによって実行され得る。ＵＥは、ＵＥのＣｏＭＰ測定セットにおける複数のセルのうちの少なくとも１つのセルに関する第１のチャネル情報を決定し得る（ブロック３１２）。第１のチャネル情報は、ランク情報、ＣＤＩ、ＣＭＩ、相対的な振幅および位相情報、ＣＱＩ、ＲＱＩ、他の情報、またはそれらの組合せを含み得る。第１のチャネル情報は、（セルダウン選択についての）ＣｏＭＰ測定セットにおけるセルのサブセット、（サブバンドダウン選択についての）通信に利用可能な全てのサブバンドのセット、（レイヤーダウン選択についての）通信に利用可能な全てのレイヤーのサブセット、またはそれらの組合せに関係し得る。
【００７６】
ＵＥは、ＵＥによって使用するための第１のチャネル情報レポートモードを決定し得る（ブロック３１４）。第１のチャネル情報レポートモードは、ＣｏＭＰデータ送信のためにチャネル情報をレポートすることに利用可能な複数のチャネル情報レポートモードのうちの１つであり得る。ＵＥは、ＣｏＭＰ測定セットにおける１つまたは複数のセルへ第１のチャネル情報レポートモードに従って第１のチャネル情報を送信し得る（ブロック３１６）。ＵＥは、ＰＵＳＣＨ、ＰＵＣＣＨ、および／または他のチャネルで第１のチャネル情報を送信し得る。
【００７７】
１つの設計では、複数のチャネル情報レポートモードは、(i)マルチプルセルの、シングルサブバンドのチャネル情報をレポートするためのチャネル情報レポートモード、(ii)シングルセルの、マルチプルサブバンドのチャネル情報をレポートするためのチャネル情報レポートモード、(iii)マルチプルセルの、マルチプルサブバンドのチャネル情報をレポートするためのチャネル情報レポートモード、(iv)１つまたは複数のセルの、１つまたは複数のサブバンドの、シングルレイヤーのチャネル情報をレポートするためのチャネル情報レポートモード、(v)他のチャネル情報レポートモード、または(vi)それらの組合せを含み得る。
【００７８】
ブロック３１４の１つの設計では、ＵＥは第１のチャネル情報レポートモードを選択し得る。別の設計では、ＵＥは、ネットワークエンティティ（例えば、サービスしているセルまたはネットワークコントローラ）からＵＥについてのチャネルフィードバック構成を受信し、ＵＥについてのチャネルフィードバック構成に基づいて第１のチャネル情報レポートモードを決定し得る。ＵＥはまた、他の方法で第１のチャネル情報レポートモードを決定し得る。
【００７９】
ＵＥは、ＣｏＭＰ測定セットにおけるマルチプルセルに関する第２のチャネル情報を決定し得る（ブロック３１８）。ＵＥは、ＵＥによって使用するための第２のチャネル情報レポートモードを決定し得る（ブロック３２０）。第２のチャネル情報レポートモードは、複数のチャネル情報レポートモードのうちの別の１つであり得る。ＵＥは、ＣｏＭＰ測定セットにおける１つまたは複数のセルへ第２のチャネル情報レポートモードに従って第２のチャネル情報を送信し得る（ブロック３２２）。
【００８０】
１つの設計では、第１のチャネル情報レポートモードは、シングルセルについてのチャネル情報のレポートをサポートし、第２のチャネル情報レポートモードは、マルチプルセルについてのチャネル情報のレポートをサポートし得る。シングルセルは、ＵＥについてサービスしているセル、ＵＥによって受信される最も強いセル、またはＣｏＭＰ測定セットにおけるセルを通って循環することによって選択されるセルであり得る。一般に、各チャネル情報レポートモードは、いかなるセルについてのチャネル情報のレポートをサポートし得る。
【００８１】
１つの設計では、ＵＥは、１段階のチャネルフィードバック構成または１回限りのチャネルフィードバック構成に基づいて動作し、少なくとも１つのレポート間隔でＣｏＭＰ測定セットにおけるセルへチャネル情報を送信し得る。例えば、ＵＥは各レポート間隔でＣｏＭＰ測定セットにおけるセルのサブセットへチャネル情報を送信し、異なるレポート間隔でＣｏＭＰ測定セットにおけるセルを通って循環し得る。
【００８２】
別の設計では、ＵＥは２段階のチャネルフィードバック構成に基づいて動作し得る。ＵＥは、ＣｏＭＰデータ送信のために選択される前にＣｏＭＰ測定セットにおけるセルのサブセットへチャネル情報を送信し得る。ＵＥは、ＣｏＭＰデータ送信のために選択された後にＣｏＭＰ測定セットにおける全てのセルへチャネル情報を送信し得る。
【００８３】
ＵＥはまた、他のチャネルフィードバック構成に基づいてＣｏＭＰ測定セットにおけるセルに対してチャネル情報を送信し得る。１つの設計では、ＵＥは、複数のレポート間隔のそれぞれでＣｏＭＰ測定セットにおけるいくつかまたは全てのセルに対してチャネル情報を周期的に送信し得る。別の設計では、ＵＥは、作動すると、例えば、ＣｏＭＰデータ送信のために選択されると、ＣｏＭＰ測定セットにおけるいくつかまたは全てのセルに対してチャネル情報を送信し得る。
【００８４】
ブロック３１２の１つの設計では、ＵＥは、少なくとも１つのセルについての少なくとも１つのチャネル行列Hm(k)を決定し、少なくとも１つのチャネル行列に基づいて少なくとも１つのセルについてのＣＤＩを決定し得る。１つの設計では、ＵＥは、少なくとも１つのチャネル行列におけるチャネル・ベクトルを量子化し得る。別の設計では、ＵＥは、少なくとも１つのセルについての少なくとも１つの同等のチャネル行列Gm(k)を決定し、少なくとも１つの同等のチャネル行列に基づいてＣＤＩを決定し得る。例えば、ＵＥは、受信行列U1(k)を得るために指定のセルについてのチャネル行列H1(k)を分解し、例えば、式（３）で示されるように、少なくとも１つのチャネル行列および受信行列に基づいて少なくとも１つの同等のチャネル行列を決定し得る。指定のセルは、例えば、サービスしているセル、またはＵＥによって受信される最も強いセルであり、ＣｏＭＰ測定セットにおけるセルのうちの１つであり得る。さらに別の設計では、ＵＥは、ＵＥでの残留干渉の共分散行列R(k)を決定し、例えば、式（７）に示されるように、少なくとも１つのチャネル行列および共分散行列に基づいて少なくとも１つのホワイトチャネル行列Wm(k)を決定し、少なくとも１つのホワイトチャネル行列に基づいてＣＤＩを決定する。１つの設計では、ＵＥは、少なくとも１つのチャネル行列、または少なくとも１つの同等のチャネル行列、または少なくとも１つのホワイトチャネル行列等に基づいて、少なくとも１つの量子化されたチャネル・ベクトルを決定し得る。ＵＥは、その後、少なくとも１つの量子化されたチャネル・ベクトルに基づいて少なくとも１つのセルについてのＣＤＩを決定し得る。ＵＥはまた、他の方法でＣＤＩを決定し得る。ＵＥは、少なくとも１つのセルについてのＣＤＩを含む第１のチャネル情報を生成し得る。
【００８５】
１つの設計では、ＵＥは、少なくとも１つのチャネル行列、または少なくとも１つのチャネル利得、および／または少なくとも１つのセルについての他の情報に基づいて、少なくとも１つのセルについてのＣＭＩを決定し得る。ＵＥは、少なくとも１つのセルについてのＣＭＩをさらに含む第１のチャネル情報を生成し得る。
【００８６】
ＵＥはステップ３１６でレポートを生成し送信し得る。１つの設計では、レポートは、サブバンドでの少なくとも１つのセルについてである、第１のチャネル情報およびサブバンドのインデックスを含み得る。別の設計では、レポートは、複数のサブバンドでのセルについてである、第１のチャネル情報およびシングルセルのインデックスを含み得る。さらに別の設計では、レポートは、マルチプルサブバンドについてのマルチプルサブバンドインデックスと、マルチプルサブバンドでのマルチプルセルについてである、第１のチャネル情報およびマルチプルセルについてのマルチプルセルインデックスとを含み得る。一般に、レポートは任意の数および任意のタイプのインデックスも含み、第１のチャネル情報はサブバンド、セルおよびレイヤーの任意の数に関係し得る。
【００８７】
図４は、チャネル情報を受信するプロセス４００の設計を示す。プロセス４００は（以下に述べられるような）セルまたは他のエンティティによって実行され得る。セルは、ＵＥのＣｏＭＰ測定セットにおける複数のセルについてのチャネル情報をレポートするＵＥについての第１のチャネル情報レポートモードを決定し得る（ブロック４１２）。第１のチャネル情報レポートモードは、ＣｏＭＰデータ送信のためにチャネル情報をレポートすることに利用可能な複数のチャネル情報レポートモードのうちの１つであり得る。セルは、ＵＥのＣｏＭＰ測定セットにおけるセルのうちの１つであり得る。セルは、第１のチャネル情報レポートモードに従ってＵＥによって（例えば、ＰＤＳＣＨおよび／またはＰＵＣＣＨで）送信される第１のチャネル情報を受信し得る（ブロック４１４）。第１のチャネル情報は、ＵＥのＣｏＭＰ測定セットにおける少なくとも１つのセルと関係し得る。
【００８８】
セルは、第１のチャネル情報からの少なくとも１つのセルについて、ランク情報、ＣＤＩ、ＣＭＩ、相対的な振幅および位相情報、ＣＱＩ、ＲＱＩ、またはそれらの組合せを取得し得る。１つの設計では、セルは、複数のレポート間隔でＵＥによって送信される複数のレポートを受信し得る。セルは各レポートからＣｏＭＰ測定セットにおけるセルのサブセットについてのチャネル情報を取得し得る。セルは、ＣｏＭＰ測定セットにおけるセルについての全チャネル情報を決定するために、レポートのそれぞれから取得されるチャネル情報を集約し得る。
【００８９】
１つの設計では、セルは、チャネル情報をレポートするＵＥについての第２のチャネル情報レポートモードを決定し得る（ブロック４１６）第２のチャネル情報レポートモードは、複数のチャネル情報レポートモードのうちの別の１つであり得る。セルは、第２のチャネル情報レポートモードに従ってＵＥによって送信される第２のチャネル情報を受信し得る。第２のチャネル情報はＣｏＭＰ測定セットにおけるマルチプルセルについてであり得る。１つの設計では、第１のチャネル情報レポートモードは、シングルセルについてのチャネル情報のレポートをサポートし、第２のチャネル情報レポートモードは、マルチプルセルについてのチャネル情報のレポートをサポートし得る。一般に、各チャネル情報レポートモードは、任意の数のセルについてのチャネル情報のレポートをサポートし得る。
【００９０】
１つの設計では、ＵＥは、１段階のチャネルフィードバック構成または１回限りのチャネルフィードバック構成に基づいて動作し得る。セルは、少なくとも１つのレポート間隔でＣｏＭＰ測定セットにおけるセルにおけるセルについてのチャネル情報を送信し得る。別の設計では、ＵＥは２段階のチャネルフィードバック構成に基づいて動作し得る。セルは、ＣｏＭＰ測定セットにおけるセルのサブセットについてのチャネル情報を受信し、ＣｏＭＰデータ送信のためにＵＥを選択し、ＣｏＭＰデータ送信のためにＵＥを選択後にＣｏＭＰ測定セットにおける全てのセルについてのチャネル情報を受信し得る。
【００９１】
１つの設計では、セルは、第１のＵＥ（ｓ）から、第１のＵＥ（ｓ）のＣｏＭＰ測定セットにおけるセルのサブセットについてのチャネル情報を受信し得る。セルは、第２のＵＥ（ｓ）から、第２のＵＥ（ｓ）のＣｏＭＰ測定セットにおける全てのセルについてのチャネル情報を受信し得る。第１のＵＥ（ｓ）は、ＣｏＭＰデータ送信のために選択可能であるＵＥを含み得る。第２のＵＥ（ｓ）は、ＣｏＭＰデータ送信のために選択されるＵＥを含み得る。
【００９２】
ＵＥはまた、他のチャネルフィードバック構成に基づいて動作し得る。１つの設計では、セルは、ＵＥによって複数のレポート間隔のそれぞれで周期的に送信されるチャネル情報を受信し得る。セルはまた、作動すると、例えば、セルによって指示をされると、ＵＥによって送信されるチャネル情報を受信し得る。
【００９３】
１つの設計では、セルは、ＵＥから受信される第１のおよび／または第２のチャネル情報に基づいて、少なくとも１つのチャネル・ベクトルを取得し得る。セルは、少なくとも１つのチャネル・ベクトルに基づいてＵＥについての少なくとも１つのプレコーディングベクトルを決定し得る。セルは、その後、少なくとも１つのプレコーディングベクトルに基づいてＵＥへデータを送信し得る。ＣｏＭＰ測定セットにおける１つまたは複数の他のセルは、ＵＥへデータを送信するために協同し得る。
【００９４】
図５は基地局／ｅＮＢ １１０ｘおよびＵＥ １２０ｘの設計のブロック図を示し、それは、図１における基地局／ｅＮＢ（ｓ）のうちの１つ、およびＵＥ（ｓ）のうちの１つであり得る。基地局１１０ｘは１つまたは複数のセルにサービスし、５３４ａから５３４ｔのＴ個のアンテナを備え、ここで、一般にT≧1である。ＵＥ １２０ｘは、５５２ａから５５２ｒのＲ個のアンテナを備え、ここで、一般にR≧1である。
【００９５】
基地局１１０ｘでは、送信プロセッサ５２０はＣｏＭＰを備えるおよび／または備えずにデータ送信のためにスケジュールされた１つまたは複数のＵＥについてデータソース５１２からデータを受信し、１つまた複数の変調およびＵＥのために選択されるコーディングスキームに基づいてそれぞれスケジュールされたＵＥについてのデータを処理し（例えば、符号化し変調し）、全てのＵＥへデータシンボルを提供し得る。送信プロセッサ５２０はまた、制御情報を処理し（例えば、スケジューリンググラント、構成メッセージ等）、制御シンボルを提供し得る。
【００９６】
プロセッサ５２０はまた、リファレンス信号のためのリファレンスシンボルを生成し得る。送信（ＴＸ）ＭＩＭＯプロセッサ５３０は、（該当する場合）データシンボル、制御シンボルおよび／またはリファレンスシンボルをプレコードし、Ｔ個の変調器（ＭＯＤ）５３２ａから５３２ｔへのＴ個の出力シンボルストリームを提供し得る。各モジュレータ５３２は、その出力シンボルストリーム（例えば、ＯＦＤＭ等）を処理して、出力サンプルストリームを取得する。各変調器５３２は、その出力サンプルストリームをさらに調整して（例えば、アナログに変換、増幅、フィルタリング、アップコンバート）、ダウンリンク信号を取得する。変調器５３２ａ乃至５３２ｔからのＴ個のダウンリンク信号は、Ｔ個のアンテナ５３４ａ乃至５３４ｔを介してそれぞれ送信され得る。
【００９７】
ＵＥ１２０ｘでは、アンテナ５５２ａから５５２ｒは、基地局１１０ｘおよび／または他の基地局からダウンリンク信号を受信し、受信された信号を復調器（ＤＥＭＯＤ）（ｓ）５５４ａから５５４ｒへそれぞれ提供し得る。各復調器５５４は、その受信された信号を調整して（例えば、フィルタリング、増幅、ダウンコンバート、デジタル化）、入力サンプルを得る。各復調器５５４は、入力サンプル（例えば、ＯＦＤＭ等に関する）をさらに処理して、受信されたシンボルを得る。チャネルプロセッサ５８４は、各セルによって送信される１つまたは複数のリファレンス信号に基づいて、関係する各セルについてのチャネル推定を導き得る。ＭＩＭＯ検出器５５６は、全てのＲ個の復調器５５４ａから５５４ｒからの受信されたシンボルを得て、ＵＥへ送信する全てのセルについてのチャネル推定に基づいて受信されたシンボルでＭＩＭＯ検出を実行し、検出されたシンボルを提供し得る。受信プロセッサ５５８は、検出されたシンボルを処理し（例えば、復調、復号化）、データシンク５６０へＵＥ  １２０ｘについての復号化されたデータを提供し、コントローラ／プロセッサ５８０へ復号化された制御情報を提供し得る。
【００９８】
アップリンクで、ＵＥ  １２０ｘでは、送信プロセッサ５６４は、データソース５６２からのデータとコントローラ／プロセッサ５８０からの制御情報およびチャネル情報とを受信し処理し得る。プロセッサ５６４はまた、１つまたは複数のリファレンス信号についてのリファレンスシンボルを生成し得る。送信プロセッサ５６４からのシンボルは、ＴＸ ＭＩＭＯプロセッサ５６６によってプレコーディングされ（precoded）、適用可能な場合、変調器５５４ａから５５４ｒ（例えば、ＳＣ−ＦＤＭ、ＯＦＤＭ等に関する）によってさらに処理され、基地局１１０ｘへ送信され得る。基地局１１０ｘでは、ＵＥ１２０ｘおよび他のＵＥ（ｓ）からのアップリンク信号は、アンテナ５３４によって受信され、復調器５３２によって処理され、ＭＩＭＯ検出器５３６によって検出され、適用可能な場合、受信プロセッサ５３８によってさらに処理され、ＵＥ１２０ｘおよび他のＵＥ（ｓ）によって送信された復号データ、制御情報、およびチャネル情報を得る。プロセッサ５３８は、データシンク５３９への復号データとコントローラ／プロセッサ５４０への復号された制御情報およびチャネル情報とを提供し得る。
【００９９】
コントローラ／プロセッサ５４０および５８０は基地局１１０ｘおよびＵＥ１２０ｘで、それぞれ動作を命令し得る。基地局１１０ｘで、プロセッサ５４０および／または他のプロセッサとモジュールは、図４のプロセス４００および／またはここで示される技術についての他のプロセスを実行または命令し得る。ＵＥ１２０ｘで、プロセッサ５８０および／または他のプロセッサとモジュールは、図３のプロセス３００および／またはここで示される技術についての他のプロセスを実行または命令し得る。メモリ５４２および５８２は、基地局１１０ｘおよびＵＥ１２０ｘそれぞれについてのデータおよびプログラムコードを記憶し得る。スケジューラ５４４は、ダウンリンクおよび／またはアップリンクでのデータ送信のためにＵＥ（ｓ）をスケジュールし得る。
【０１００】
図６は、チャネル情報を送信できるＵＥ１２０ｙおよびチャネル情報を受信できる基地局１１０ｙの設計のブロック図を示す。ＵＥ１２０ｙにおいて、受信機６１０は基地局と他の可能性ある局とによって送信される信号を受信し得る。モジュール６１２は、関係する各セルについてのチャネルレスポンス（例えば、ＵＥ１２０ｙのＣｏＭＰ測定セットにおけるセルについて）を推定し、チャネル推定（例えば、チャネル行列、チャネル利得等）を提供し得る。モジュール６１４は、チャネル推定に基づいて、例えば、上述された第１の階層固有のフィードバック設計に基づいて、関係するセルについてのチャネル情報（例えば、ＣＤＩ、ＣＭＩ等）を決定し得る。モジュール６１６は、チャネル情報の送信に関わり得る。モジュール６１６は、選択されたチャネル情報レポートモードおよびＵＥ１２０ｙについての選択されたチャネル情報構成に基づいてチャネル情報レポートを生成し得る。モジュール６１６はまた、１つまたは複数のセル（例えば、サービスしているセル）へ適切な時間に１つまたは複数のチャネルで（例えば、ＰＵＣＣＨおよび／またはＰＵＳＣＨで）レポートを送信し得る。送信機６１８は、モジュール６１６によって生成されるレポートを送信し得る。
【０１０１】
モジュール６２０は、全てのサポートされるチャネル情報レポートモードのうちからＵＥ１２０ｙについて選択されるチャネル情報レポートモードを決定し得る。モジュール６２２は、全てのサポートされるチャネルフィードバック構成のうちからＵＥ１２０ｙについて選択されるチャネルフィードバック構成を決定し得る。モジュール６２４は、ＵＥ１２０ｙへ送信されるＣｏＭＰデータ送信を処理し得る。上述されるように、ＵＥ１２０ｙ内の様々なモジュールは動作し得る。コントローラ／プロセッサ６３０は、ＵＥ１２０ｙ内の様々なモジュールの動作を命令し得る。メモリ６３２はＵＥ１２０ｙについてのデータおよびプログラムコードを記憶し得る。
【０１０２】
基地局１１０ｙにおいて、受信機６５０はＵＥ１２０ｙおよび他のＵＥ（ｓ）によって送信される信号を受信し得る。モジュール６５２は、データ送信のためにスケジュールされ得るＵＥ（ｓ）によって送信されるチャネル情報を受信し得る。モジュール６５４は、各ＵＥから異なるレポートにおいて受信されるチャネル情報を集約し得る。モジュール６６０は、各ＵＥのために選択されるチャネル情報レポートモードを決定し得る。モジュール６６２は、各ＵＥのために選択されるチャネルフィードバック構成を決定し得る。モジュール６５２および６５４は、各ＵＥのために選択されるチャネル情報レポートモードおよびチャネルフィードバック構成に基づいて動作し得る。リファレンス信号ジェネレータ６５６は、ＵＥ（ｓ）によってチャネル推定について使用されるリファレンス信号を生成し得る。送信機６５８は、ＵＥへリファレンス信号および他の信号を送信し得る。
【０１０３】
スケジューラ６７４は、ＣｏＭＰデータ送信のためにＵＥ（ｓ）を一時的に選択し、ＣｏＭＰデータ送信のためにＵＥ（ｓ）をスケジュールし得る。モジュール６６４は、ＵＥから受信されたチャネル情報に基づいて、各スケジュールされたＵＥについてプレコーディングベクトルを計算し得る。モジュール６６６は、各スケジュールされたＵＥへＣｏＭＰデータ送信のためにデータを処理し得る。基地局１１０ｙ内の様々なモジュールは、上述されるように動作し得る。コントローラ／プロセッサ６７０は、基地局１１０ｙ内の様々なモジュールの動作を命令し得る。メモリ６７２は、基地局１１０ｙについてのデータおよびプログラムコードを記憶し得る。
【０１０４】
１つの構成では、無線通信についての装置（例えば、装置１２０ｘ）は、ＵＥで、該ＵＥのＣｏＭＰ測定セットにおける複数のセルのうちの少なくとも１つのセルに関する第１のチャネル情報を決定する手段と、該ＵＥによって使用するための第１のチャネル情報レポートモードを決定する手段と、該ＣｏＭＰ測定セットにおける１つまたは複数のセルへ、該第１のチャネル情報レポートモードに従って該第１のチャネル情報を送信する手段と、該ＣｏＭＰ測定セットにおけるマルチプルセルに関する第２のチャネル情報を決定する手段と、該ＵＥによって使用するための第２のチャネル情報レポートモードを決定する手段と、該１つまたは複数のセルへ該第２のチャネル情報レポートモードに従って該第２のチャネル情報を送信する手段と、を備え得る。該第１及び第２のチャネル情報レポートモードは、ＣｏＭＰデータ送信のためにチャネル情報をレポートすることに利用可能な複数のチャネル情報レポートモードのうちの２つであり得る。
【０１０５】
１つの構成では、無線通信についての装置（例えば、装置１１０ｘ）は、該ＵＥのＣｏＭＰ測定セットにおける複数のセルについてのチャネル情報をレポートするＵＥについての第１のチャネル情報レポートモードを決定する手段と、該第１のチャネル情報レポートモードに従って該ＵＥから第１のチャネル情報を受信する手段と、チャネル情報をレポートするＵＥについての第２のチャネル情報レポートモードを決定する手段と、該第２のチャネル情報レポートモードに従って該ＵＥから第２のチャネル情報を受信する手段と、を備え得る。該第１のチャネル情報は、ＣｏＭＰ測定セットにおける少なくとも１つのセルに関し、該第２のチャネル情報は、該ＣｏＭＰ測定セットにおけるマルチプルセルに関し得る。該第１及び第２のチャネル情報レポートモードは、ＣｏＭＰデータ送信のためにチャネル情報をレポートすることに利用可能な複数のチャネル情報レポートモードのうちの２つであり得る。
【０１０６】
当業者には、情報および信号は様々な異なる技術（technologies and techniques）のうちのいずれを使用して表わされ得ることは言うまでもない。例えば、上記説明全体を通して言及され得るデータ、命令、コマンド、情報、信号、ビット、シンボル、およびチップは、電圧、電流、電磁波、磁界または粒子、光場または粒子、またはそれら任意の組合せによって表され得る。
【０１０７】
当業者にはさらに、ここでの開示に関連して記述された様々な実例となる論理ブロック、モジュール、回路およびアルゴリズムステップは、電子ハードウェア、コンピュータソフトウェア、または両方の組合せとして実装され得ることは言うまでもない。ハードウェアおよびソフトウェアのこの互換性を明白に示すために、様々な実例となるコンポーネント、ブロック、モジュール、回路およびステップは、それらの機能に関して概ね上記で説明された。そのような機能がハードウェアまたはソフトウェアとして実装されるかどうかは、全体のシステムに課される設計制約および特定のアプリケーションに依存する。当業者は、各特定のアプリケーションのための様々な方法において説明される機能を実装し得るが、そのような実装決定は本開示の範囲から逸脱すると解釈されるべきでない。
【０１０８】
ここでの開示に関連して記述された様々な実例となる論理ブロック、モジュールおよび回路は、汎用プロセッサ、ＤＳＰ（digital signal processor）、ＡＳＩＣ（application specific integrated circuit）、ＦＰＧＡ（field programmable gate array）または他のＰＬＤ（programmable logic device）、個別のゲート（gate）またはトランジスタロジック（transistor logic）、個別のハードウェアコンポーネントまたはここに記述された機能を実行するために設計された任意のそれらの組合せを用いて実装または実行され得る。汎用プロセッサはマイクロプロセッサでもよいが、代案では、プロセッサは任意の従来のプロセッサ、コントローラ、マイクロコントローラまたはステートマシン（state machine）でもよい。プロセッサはまた、例えば、ＤＳＰとマイクロプロセッサの組合せ、複数のマイクロプロセッサ、ＤＳＰコア（core）と連結した１つまたは複数のマイクロプロセッサ、または他のそのような構成のような、コンピュータデバイスの組合せとして実現され得る。
【０１０９】
ここでの開示に関連して記述された方法またはアルゴリズムのステップは、ハードウェア、プロセッサによって実行されるソフトウェアモジュール、またはその２つの組合せで直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または技術の中で知られている記憶媒体の任意の他の形式に存在し得る。典型的な記憶媒体は、プロセッサが記憶媒体から情報を読み取り、および記憶媒体へ情報を書き込めるようにプロセッサに連結され得る。代替として、記憶媒体はプロセッサに不可欠であり得る。プロセッサおよび記憶媒体はＡＳＩＣに存在し得る。ＡＳＩＣはユーザ端末に存在し得る。代替として、プロセッサおよび記憶媒体はユーザ端末における個別のコンポーネントとして存在し得る。
【０１１０】
１つまたは複数の典型的な設計では、記述された関数は、ハードウェア、ソフトウェア、ファームウェアまたはそれらの任意の組合せで実装され得る。ソフトウェアの中で実装されれば、関数は、１つまたは複数の命令としてまたはコンピュータ可読媒体でコードとして記憶されまたは送信され得る。コンピュータ可読媒体は、ある所から別の所へのコンピュータプログラムの転送を容易にする任意の媒体を含む通信媒体およびコンピュータ記憶媒体の両方を含む。記憶媒体は汎用または専用コンピュータによってアクセスすることができる任意の利用可能な媒体である。例として、また制限はなく、そのようなコンピュータ可読媒体には、ＲＡＭ、ＲＯＭ、ＥＥＰＲＯＭ、ＣＤ−ＲＯＭまたは他の光ディスク記憶装置、磁気ディスク記憶装置または他の磁気記憶装置、または所望のプログラムコード手段を命令またはデータ構造の形で伝送または記憶するために使用でき、汎用または専用コンピュータ、または汎用または専用プロセッサによってアクセスすることができる他の媒体を含む。任意の接続もコンピュータ可読媒体と呼ばれる。例えば、同軸ケーブル、光ファイバケーブル、ツイストペア（twisted pair）、ＤＳＬ（digital subscriber line）、または赤外線、無線、およびマイクロ波のような無線技術を使用して、ウェブサイト、サーバ、または他のリモートソース（remote source）からソフトウェアが送信される場合、同軸ケーブル、光ファイバケーブル、ツイストペア、DSL、または赤外線、無線、およびマイクロ波のような無線技術は、媒体の定義に含まれる。ここで使用されるディスク（disk and disc）は、コンパクトディスク（CD）、レーザーディスク（登録商標）、光ディスク、DVD（digital versatile disc）、フロッピー（登録商標）ディスク、およびブルーレイ（登録商標）ディスクを含み、ディスク（disk）は通常磁気的にデータを再生し、ディスク（disc）はレーザーで光学的にデータを再生する。上記の組合せもコンピュータ可読媒体の範囲内で含まれるべきである。
【０１１１】
開示の上記説明は任意の当業者が開示を作るまたは使用できるように提供される。開示の様々な変更は当業者には容易に明白となり、また、ここで定義される一般的な原理は、開示の範囲から逸脱せずに、他の態様に適用され得る。従って、開示は、ここに記述された例および設計に限定することを意図するものではなく、ここに開示された原理および新規な特徴と一致する最も広い範囲まで許容されることを意図する。
【図１】
2013518533.tif 000014
【図２】
2013518533.tif 000015
【図３】
2013518533.tif 000016
【図４】
2013518533.tif 000017
【図５】
2013518533.tif 000018
【図６】
2013518533.tif 000019
【国際調査報告】
2013518533.tif 000020
2013518533.tif 000021
2013518533.tif 000022
2013518533.tif 000023